(57)【特許請求の範囲】
【請求項１】
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、
前記適合デザイン要素の組み合わせを用いてデザインサンプルを作成する作成手段と、
を有し、
前記デザインサンプルは複数のデザインアイテムによって構成されており、
前記各デザインアイテムには、当該デザインアイテムのデザインを規定する前記複数のデザイン要素が対応付けられており、
前記適合デザイン要素決定手段は、
前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、
全デザインアイテムの前記最大値デザイン要素の前記基調感性スコアの合計値に基づいて基調テイスト喚起度を演算する基調テイスト喚起度演算手段と、
前記基調テイスト喚起度が喚起度閾値以上となる前記最大値デザイン要素の組み合わせを前記適合デザイン要素の組み合わせとして決定する決定手段と、
を含む、
情報処理装置。
【請求項２】
前記混合感性スコア演算手段は、混合比を異ならせながら、前記混合比毎及び前記デザイン要素毎に、前記基調感性スコアと前記アクセント感性スコアとを混合することにより、前記混合比毎及び前記デザイン要素毎に前記混合感性スコアを演算し、前記混合比毎及び前記デザインアイテム毎に前記最大値デザイン要素を決定し、
前記基調テイスト喚起度演算手段は、前記混合比毎に、前記全デザインアイテムの前記最大値デザイン要素の前記基調感性スコアの合計値に基づいて前記基調テイスト喚起度を演算し、
前記決定手段は、前記混合比毎に、前記基調テイスト喚起度が前記喚起度閾値以上となる前記最大値デザイン要素の組み合わせを前記適合デザイン要素の組み合わせとして決定する、
ことを特徴とする請求項１に記載の情報処理装置。
【請求項３】
前記混合感性スコア演算手段は、前記混合比において前記アクセントテイストの比率を段階的に増加させながら、前記混合比毎及び前記デザイン要素毎に、前記基調感性スコアと前記アクセント感性スコアとを混合することにより、前記混合比毎及び前記デザイン要素毎に前記混合感性スコアを演算し、前記混合比毎及び前記デザインアイテム毎に前記最大値デザイン要素を決定し、
前記基調テイスト喚起度演算手段は、前記混合比毎に、前記全デザインアイテムの前記最大値デザイン要素の前記基調感性スコアの合計値に基づいて前記基調テイスト喚起度を演算し、
前記決定手段は、前記基調テイスト喚起度が前記喚起度閾値未満となる混合比よりも前記アクセントテイストの比率が１段階低い混合比を用いた演算によって特定された前記最大値デザイン要素の組み合わせを前記適合デザイン要素の組み合わせとして決定する、
ことを特徴とする請求項２に記載の情報処理装置。
【請求項４】
前記適合デザイン要素決定手段は、前記アクセントテイストを異ならせながら、前記基調テイスト喚起度を演算して前記適合デザイン要素の組み合わせを決定する、
ことを特徴とする請求項１から請求項３のいずれか一項に記載の情報処理装置。
【請求項５】
前記デザインサンプル、前記基調テイストを識別するための情報、及び、組み合わせに用いられた前記アクセントテイストを識別するための情報を、表示手段に表示させる表示制御手段を更に有する、
ことを特徴とする請求項１から請求項４のいずれか一項に記載の情報処理装置。
【請求項６】
複数のデザインサンプルを記憶する記憶手段と、
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、
前記記憶手段に記憶されている前記複数のデザインサンプルの中から、前記適合デザイン要素の組み合わせによって構成されているデザインサンプルを検索する検索手段と、
を有し、
前記デザインサンプルは複数のデザインアイテムによって構成されており、
前記各デザインアイテムには、当該デザインアイテムのデザインを規定する前記複数のデザイン要素が対応付けられており、
前記適合デザイン要素決定手段は、
前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、
全デザインアイテムの前記最大値デザイン要素の前記基調感性スコアの合計値に基づいて基調テイスト喚起度を演算する基調テイスト喚起度演算手段と、
前記基調テイスト喚起度が喚起度閾値以上となる前記最大値デザイン要素の組み合わせを前記適合デザイン要素の組み合わせとして決定する決定手段と、
を含む、
を有する情報処理装置。
【請求項７】
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、
前記適合デザイン要素の組み合わせを用いてデザインサンプルを作成する作成手段と、
印象に応じたテイストの分布を示す印象マップであって、各テイストが自身の有する印象に応じた座標に配置されている印象マップ上において、前記基調テイストとの距離が閾値以上となるテイストを前記アクセントテイストとして選択する選択手段と、
を有する情報処理装置。
【請求項８】
コンピュータを、
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、
前記適合デザイン要素の組み合わせを用いてデザインサンプルを作成する作成手段、
として機能させ、
前記デザインサンプルは複数のデザインアイテムによって構成されており、
前記各デザインアイテムには、当該デザインアイテムのデザインを規定する前記複数のデザイン要素が対応付けられており、
前記適合デザイン要素決定手段は、
前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、
全デザインアイテムの前記最大値デザイン要素の前記基調感性スコアの合計値に基づいて基調テイスト喚起度を演算する基調テイスト喚起度演算手段と、
前記基調テイスト喚起度が喚起度閾値以上となる前記最大値デザイン要素の組み合わせを前記適合デザイン要素の組み合わせとして決定する決定手段と、
を含む、
プログラム。
【請求項９】
複数のデザインサンプルを記憶する記憶手段を有するコンピュータを、
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、
前記記憶手段に記憶されている前記複数のデザインサンプルの中から、前記適合デザイン要素の組み合わせによって構成されているデザインサンプルを検索する検索手段、
として機能させ、
前記デザインサンプルは複数のデザインアイテムによって構成されており、
前記各デザインアイテムには、当該デザインアイテムのデザインを規定する前記複数のデザイン要素が対応付けられており、
前記適合デザイン要素決定手段は、
前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、
全デザインアイテムの前記最大値デザイン要素の前記基調感性スコアの合計値に基づいて基調テイスト喚起度を演算する基調テイスト喚起度演算手段と、
前記基調テイスト喚起度が喚起度閾値以上となる前記最大値デザイン要素の組み合わせを前記適合デザイン要素の組み合わせとして決定する決定手段と、
を含む、
プログラム。
【請求項１０】
コンピュータを、
基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、
前記適合デザイン要素の組み合わせを用いてデザインサンプルを作成する作成手段、
印象に応じたテイストの分布を示す印象マップであって、各テイストが自身の有する印象に応じた座標に配置されている印象マップ上において、前記基調テイストとの距離が閾値以上となるテイストを前記アクセントテイストとして選択する選択手段、
として機能させるプログラム。
【発明の詳細な説明】
【技術分野】
【０００１】
本発明は、情報処理装置及びプログラムに関する。
【背景技術】
【０００２】
デザインの作成者が、複数のデザインサンプルの中から目的の印象を有するデザインサンプルを選択して、ある対象物のデザインを作成する場合がある。
【０００３】
特許文献１には、使用者の感性を反映させたレイアウト編集を行う装置が開示されている。
【先行技術文献】
【特許文献】
【０００４】
【特許文献１】特開平９−３０５５９８号公報
【発明の概要】
【発明が解決しようとする課題】
【０００５】
ところで、特定の印象のみを指定して複数のデザインサンプルの中から目的の印象を有するデザインサンプルを検索する場合、互いに見た目が似ている（外観がほとんど変わらない）複数のデザインサンプルが検索されることがある。この場合、デザインの作成者は、互いに見た目が似ている複数のデザインサンプルの中から目的のデザインサンプルを選択せざるを得ない。
【０００６】
本発明の目的は、基調となる印象を主に喚起しつつ、他の印象を副次的に喚起するデザインサンプルを提供することにある。
【課題を解決するための手段】
【０００７】
請求項１に係る発明は、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、前記適合デザイン要素の組み合わせを用いてデザインサンプルを作成する作成手段と、を有し、前記デザインサンプルは複数のデザインアイテムによって構成されており、前記各デザインアイテムには、当該デザインアイテムのデザインを規定する前記複数のデザイン要素が対応付けられており、前記適合デザイン要素決定手段は、前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、全デザインアイテムの前記最大値デザイン要素の前記基調感性スコアの合計値に基づいて基調テイスト喚起度を演算する基調テイスト喚起度演算手段と、前記基調テイスト喚起度が喚起度閾値以上となる前記最大値デザイン要素の組み合わせを前記適合デザイン要素の組み合わせとして決定する決定手段と、を含む、情報処理装置である。
【０００９】
請求項２に係る発明は、前記混合感性スコア演算手段は、混合比を異ならせながら、前記混合比毎及び前記デザイン要素毎に、前記基調感性スコアと前記アクセント感性スコアとを混合することにより、前記混合比毎及び前記デザイン要素毎に前記混合感性スコアを演算し、前記混合比毎及び前記デザインアイテム毎に前記最大値デザイン要素を決定し、前記基調テイスト喚起度演算手段は、前記混合比毎に、前記全デザインアイテムの前記最大値デザイン要素の前記基調感性スコアの合計値に基づいて前記基調テイスト喚起度を演算し、前記決定手段は、前記混合比毎に、前記基調テイスト喚起度が前記喚起度閾値以上となる前記最大値デザイン要素の組み合わせを前記適合デザイン要素の組み合わせとして決定する、ことを特徴とする請求項１に記載の情報処理装置である。
【００１０】
請求項３に係る発明は、前記混合感性スコア演算手段は、前記混合比において前記アクセントテイストの比率を段階的に増加させながら、前記混合比毎及び前記デザイン要素毎に、前記基調感性スコアと前記アクセント感性スコアとを混合することにより、前記混合比毎及び前記デザイン要素毎に前記混合感性スコアを演算し、前記混合比毎及び前記デザインアイテム毎に前記最大値デザイン要素を決定し、前記基調テイスト喚起度演算手段は、前記混合比毎に、前記全デザインアイテムの前記最大値デザイン要素の前記基調感性スコアの合計値に基づいて前記基調テイスト喚起度を演算し、前記決定手段は、前記基調テイスト喚起度が前記喚起度閾値未満となる混合比よりも前記アクセントテイストの比率が１段階低い混合比を用いた演算によって特定された前記最大値デザイン要素の組み合わせを前記適合デザイン要素の組み合わせとして決定する、ことを特徴とする請求項２に記載の情報処理装置である。
【００１１】
請求項４に係る発明は、前記適合デザイン要素決定手段は、前記アクセントテイストを異ならせながら、前記基調テイスト喚起度を演算して前記適合デザイン要素の組み合わせを決定する、ことを特徴とする請求項１から請求項３のいずれか一項に記載の情報処理装置である。
【００１６】
請求項５に係る発明は、前記デザインサンプル、前記基調テイストを識別するための情報、及び、組み合わせに用いられた前記アクセントテイストを識別するための情報を、表示手段に表示させる表示制御手段を更に有する、ことを特徴とする請求項１から請求項４のいずれか一項に記載の情報処理装置である。
【００１７】
請求項６に係る発明は、複数のデザインサンプルを記憶する記憶手段と、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、前記記憶手段に記憶されている前記複数のデザインサンプルの中から、前記適合デザイン要素の組み合わせによって構成されているデザインサンプルを検索する検索手段と、を有し、前記デザインサンプルは複数のデザインアイテムによって構成されており、前記各デザインアイテムには、当該デザインアイテムのデザインを規定する前記複数のデザイン要素が対応付けられており、前記適合デザイン要素決定手段は、前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、全デザインアイテムの前記最大値デザイン要素の前記基調感性スコアの合計値に基づいて基調テイスト喚起度を演算する基調テイスト喚起度演算手段と、前記基調テイスト喚起度が喚起度閾値以上となる前記最大値デザイン要素の組み合わせを前記適合デザイン要素の組み合わせとして決定する決定手段と、を含む、を有する情報処理装置である。
請求項７に係る発明は、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段と、前記適合デザイン要素の組み合わせを用いてデザインサンプルを作成する作成手段と、印象に応じたテイストの分布を示す印象マップであって、各テイストが自身の有する印象に応じた座標に配置されている印象マップ上において、前記基調テイストとの距離が閾値以上となるテイストを前記アクセントテイストとして選択する選択手段と、を有する情報処理装置である。
【００１８】
請求項８に係る発明は、コンピュータを、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、前記適合デザイン要素の組み合わせを用いてデザインサンプルを作成する作成手段、として機能させ、前記デザインサンプルは複数のデザインアイテムによって構成されており、前記各デザインアイテムには、当該デザインアイテムのデザインを規定する前記複数のデザイン要素が対応付けられており、前記適合デザイン要素決定手段は、前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、全デザインアイテムの前記最大値デザイン要素の前記基調感性スコアの合計値に基づいて基調テイスト喚起度を演算する基調テイスト喚起度演算手段と、前記基調テイスト喚起度が喚起度閾値以上となる前記最大値デザイン要素の組み合わせを前記適合デザイン要素の組み合わせとして決定する決定手段と、を含む、プログラムである。
請求項９に係る発明は、複数のデザインサンプルを記憶する記憶手段を有するコンピュータを、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、前記記憶手段に記憶されている前記複数のデザインサンプルの中から、前記適合デザイン要素の組み合わせによって構成されているデザインサンプルを検索する検索手段、として機能させ、前記デザインサンプルは複数のデザインアイテムによって構成されており、前記各デザインアイテムには、当該デザインアイテムのデザインを規定する前記複数のデザイン要素が対応付けられており、前記適合デザイン要素決定手段は、前記デザイン要素毎に、前記デザイン要素が前記基調テイストの喚起に寄与する程度を示す基調感性スコアと、前記デザイン要素が前記アクセントテイストの喚起に寄与する程度を示すアクセント感性スコアと、を混合することにより、前記デザイン要素毎に混合感性スコアを演算し、前記デザインアイテム毎に、最大の前記混合感性スコアを有する最大値デザイン要素を決定する混合感性スコア演算手段と、全デザインアイテムの前記最大値デザイン要素の前記基調感性スコアの合計値に基づいて基調テイスト喚起度を演算する基調テイスト喚起度演算手段と、前記基調テイスト喚起度が喚起度閾値以上となる前記最大値デザイン要素の組み合わせを前記適合デザイン要素の組み合わせとして決定する決定手段と、を含む、プログラムである。
請求項１０に係る発明は、コンピュータを、基調となる印象を有する基調テイストに対応しデザインを規定する複数のデザイン要素と、前記基調テイストとは異なる印象を有するアクセントテイストに対応する複数のデザイン要素と、を組み合わせ、前記基調テイストを喚起する基準を満たす適合デザイン要素の組み合わせを決定する適合デザイン要素決定手段、前記適合デザイン要素の組み合わせを用いてデザインサンプルを作成する作成手段、印象に応じたテイストの分布を示す印象マップであって、各テイストが自身の有する印象に応じた座標に配置されている印象マップ上において、前記基調テイストとの距離が閾値以上となるテイストを前記アクセントテイストとして選択する選択手段、として機能させるプログラムである。
【発明の効果】
【００１９】
請求項１，２，４，６−１０に係る発明によると、基調となる印象を主に喚起しつつ、他の印象を副次的に喚起するデザインサンプルが提供される。
【００２０】
請求項３に係る発明によると、基調アクセント喚起度が喚起度閾値以上となる最大値デザイン要素のすべての組み合わせを、適合デザイン要素の組み合わせとして決定する場合と比べて、基調となる印象を主に喚起しつつ、アクセントとなる印象をより喚起するデザインサンプルが提供される。
【００２４】
請求項５に係る発明によると、ユーザがデザインサンプルを選択する上で参考となる情報が提供される。
【図面の簡単な説明】
【００２５】
【図１】本発明の第１実施形態に係るデザイン作成システムを示すブロック図である。
【図２】第１実施形態に係るデザイン作成装置を示すブロック図である。
【図３】端末装置を示すブロック図である。
【図４】印象マップ（テイストマップ）の一例を示す図である。
【図５】感性スコアデータの一例を示す図である。
【図６】感性スコアデータの一例を示す図である。
【図７】名刺情報登録画面の一例を示す図である。
【図８】デザインサンプル表示画面の一例を示す図である。
【図９】デザインサンプル表示画面の一例を示す図である。
【図１０】デザインサンプル表示画面の一例を示す図である。
【図１１】非類似サンプル作成処理の概略を示すフローチャートである。
【図１２】アクセントテイスト選択処理を示すフローチャートである。
【図１３】アクセントテイスト選択処理を示すフローチャートである。
【図１４】テイストに対する因子分析の結果としての因子負荷量の一例を示す図である。
【図１５】アクセントテイスト選択処理を示すフローチャートである。
【図１６】テイストのクラスタリングの一例を示す図である。
【図１７】クラスタ別のテイスト相互間距離テーブルの一例を示す図である。
【図１８】非類似サンプル作成処理を示すフローチャートである。
【図１９】混合比の一例を示す図である。
【図２０】感性スコアデータの一例を示す図である。
【図２１】感性スコアデータの一例を示す図である。
【図２２】デザインサンプルの一例を示す図である。
【図２３】デザインサンプルの一例を示す図である。
【図２４】変形例１に係るデザイン作成装置を示すブロック図である。
【図２５】デザインサンプル表示画面の一例を示す図である。
【図２６】デザインサンプル表示画面の一例を示す図である。
【図２７】類似サンプル作成処理を示すフローチャートである。
【図２８】デザインアイテムとデザイン要素の一例を示す図である。
【図２９】感性スコアの合算処理を模式的に示す図である。
【図３０】第２実施形態に係るデザイン作成装置を示すブロック図である。
【図３１】スコアテーブルの一例を示す図である。
【図３２】デザイン要素セット選択処理を示すフローチャートである。
【図３３】スコアテーブルの一例を示す図である。
【図３４】デザインサンプル表示画面の一例を示す図である。
【図３５】変形例２に係るデザイン作成装置を示すブロック図である。
【発明を実施するための形態】
【００２６】
［第１実施形態］
本発明の第１実施形態に係る情報処理システムとしてのデザイン作成システムについて説明する。図１には、第１実施形態に係るデザイン作成システムの一例が示されている。デザイン作成システムは、情報処理装置としてのデザイン作成装置１０と端末装置１２とを含む。デザイン作成装置１０と端末装置１２は、ネットワーク等の通信経路Ｎに接続されている。図１に示す例では、１つの端末装置１２が通信経路Ｎに接続されているが、複数の端末装置１２が通信経路Ｎに接続されてもよい。
【００２７】
デザイン作成装置１０は、対象物のデザインサンプルであって特定のテイスト（印象）を有するデザインサンプルを作成又は検索し、その対象物のデザインサンプルを表すデータ（例えば対象物の画像データやテンプレートデータ等）を出力物として提供する装置である。対象物は、例えば、名刺、チラシ、広告、ダイレクトメール（ＤＭ）、ポスター、はがき、カタログ、その他の文書、衣服、車、建物、橋、等である。また、デザイン作成装置１０は、他の装置との間でデータを送受信する機能を備えている。
【００２８】
端末装置１２は、ＰＣ（パーソナルコンピュータ）、タブレットＰＣ、スマートフォン、携帯電話、等の装置であり、他の装置との間でデータを送受信する機能を備えている。端末装置１２は、例えば、デザインを作成するときに使用される。
【００２９】
本実施形態では、端末装置１２において、デザインの基調となる基調テイスト（デザインのテーマや中心となる印象を有するテイスト）が選択され、デザイン作成装置１０において、その基調テイストの印象を主に喚起しつつ、他の印象を副次的に喚起するデザインサンプルが作成又は検索される。
【００３０】
なお、端末装置１２がデザイン作成装置１０に組み込まれて、デザイン作成装置１０と端末装置１２が物理的に一体化された装置であってもよい。
【００３１】
以下、図２を参照して、第１実施形態に係るデザイン作成装置１０の構成について詳しく説明する。図２には、デザイン作成装置１０の構成が示されている。
【００３２】
通信部１４は通信インターフェースであり、通信経路Ｎを介して、他の装置にデータを送信する機能、及び、他の装置からデータを受信する機能を備えている。例えば、通信部１４によって、対象物のデザインサンプルを表すデータが端末装置１２に送信され、端末装置１２から送信された情報が受信される。
【００３３】
情報記憶部１６はハードディスク等の記憶装置であり、コンテンツ１８を記憶し、また、感性ＤＢ（データベース）２０と素材ＤＢ（データベース）２２を含む。
【００３４】
コンテンツ１８は、デザイン作成の対象物を表すデータであり、例えば、名刺、チラシ、広告、ダイレクトメール（ＤＭ）、ポスター、はがき、カタログ、その他の文書、衣服、車、建物、橋、等の対象物を表すデータである。
【００３５】
感性ＤＢ（データベース）２０はハードディスク等の記憶装置であり、感性スコアデータ（テイストスコアデータ）を記憶する。感性スコアデータは、デザイン作成の対象物毎及びテイスト毎に予め作成されたデータであり、デザインのテイスト（印象）を示す感性情報と、そのテイストに対する各デザイン要素（表現要素、デザイン属性）の喚起度（印象度、適合度）を示す感性スコア（テイストスコア、評価値）と、の対応付けを示すデータである。テイストは、例えば、ある対象に対して人が有する印象を類型化した嗜好モデルに基づいて予め決定される。感性スコアは、デザイン要素がテイスト（印象）の喚起に寄与する程度を示す値（印象の強度を示す値）である。デザインサンプルは、例えば複数のデザインアイテム（デザイン部分）によって構成されている。デザイン要素は、各デザインアイテム（各デザイン部分）のデザインを規定する要素である。個々のデザインアイテム毎に複数のデザイン要素が定義されており、テイストに対する各デザイン要素の感性スコアが予め求められている。感性スコアは、例えば、数量化１類に従った感性評価実験により得られた値である。例えば、デザイン要素の持つテイスト（印象）がデザインのテイストに合致するほど、そのデザイン要素の感性スコア（喚起度）は高くなる。
【００３６】
また、感性情報が示すテイストが数値化されており、その数値が感性ＤＢ２０に記憶されている。感性ＤＢ２０には、例えば印象マップデータ（テイストマップデータ）が記憶されている。印象マップは、テイスト（印象）の分布を示す１次元又は多次元のマップである。感性情報が示すテイストが、その印象マップ上の座標として定義されている。
【００３７】
素材ＤＢ（データベース）２２はハードディスク等の記憶装置であり、デザイン作成の対象物を構成する各デザインアイテム（各デザイン部品）のデータを記憶する。
【００３８】
ＵＩ部２４はユーザインターフェースであり、表示部と操作部を含む。表示部は、例えば液晶ディスプレイ等の表示装置であり、操作部は、例えばキーボード、マウス、タッチパネル、等の入力装置である。なお、ＵＩ部２４はデザイン作成装置１０に設けられていなくてもよい。
【００３９】
アクセントテイスト選択部２６は、基調テイストとは異なる印象を有するアクセントテイストを選択する。アクセントテイスト選択部２６は、例えば、選択方式１，２，３のいずれかに従ってアクセントテイストを選択する。選択方式１は固定方式であり、アクセントテイスト選択部２６は、予め設定された優先順にＮ個（Ｎは１以上の整数）のアクセントテイストを選択する。選択方式２は遠距離方式であり、アクセントテイスト選択部２６は、基調テイストが有する印象との差が閾値以上となる印象を有するテイストを、アクセントテイストとして選択する。例えば、アクセントテイスト選択部２６は、印象マップ上において、基調テイストとの距離が閾値以上となるテイストをアクセントテイストとして選択する。閾値は、予め設定された値であってもよいし、ユーザ等によって変更されてもよい。また、アクセントテイスト選択部２６は、印象マップ上において、基調テイストとの距離が最大となるテイストをアクセントテイストとして選択してもよい。選択方式３はクラスタを利用した遠距離方式であり、アクセントテイスト選択部２６は、クラスタリングされたテイストを対象として、印象マップ上において、基調テイストとの距離が閾値以上（例えばその距離が最大）となるテイストをアクセントテイストとして選択する。別の例として、アクセントテイスト選択部２６は、デザインの印象を規定する因子の因子負荷量を用いて、因子負荷量が正負側に最大となるテイストをアクセントテイストとして選択してもよい。アクセントテイスト選択部２６の処理については後で詳しく説明する。
【００４０】
適合デザイン要素決定部２８は、基調テイストに対応するデザインを規定する複数のデザイン要素と、アクセントテイストに対応する複数のデザイン要素と、を組み合わせ、基調テイストを喚起する基準を満たす適合デザイン要素の組み合わせを決定する。この適合デザイン要素の組み合わせを用いることにより、基調テイストの印象を主に喚起しつつ、他の印象を副次的に喚起するデザインサンプルが作成される。
【００４１】
適合デザイン要素決定部２８は、例えば、混合比設定部３０、混合感性スコア演算部３２、基調テイスト喚起度演算部３４及び決定部３６を含む。
【００４２】
混合比設定部３０は、各デザイン要素の感性スコアを混合する際の混合比を設定する。
【００４３】
混合感性スコア演算部３２は、上記の混合比に従って、デザイン要素毎に、デザイン要素が基調テイストの喚起に寄与する程度を示す感性スコア（以下、「基調感性スコア」と称する）と、同一のデザイン要素がアクセントテイストの喚起に寄与する程度を示す感性スコア（以下、「アクセント感性スコアと称する」）と、を混合することにより、デザイン要素毎に混合感性スコアを演算する。混合感性スコア演算部３２は、デザインアイテム毎に、最大の混合感性スコアを有するデザイン要素を最大値デザイン要素として決定する。混合比設定部３０は、処理毎に異なる混合比を設定し、混合感性スコア演算部３２は、その混合比を異ならせながら混合処理を行うことにより、混合比毎及びデザイン要素毎に混合感性スコアを演算し、デザインアイテム毎に最大値デザイン要素を決定する。
【００４４】
基調テイスト喚起度演算部３４は、全デザインアイテムの最大値デザイン要素の組み合わせを対象として、全デザインアイテムの最大値デザイン要素の基調感性スコアの合計値に基づいて基調テイスト喚起度を演算する。基調テイスト喚起度演算部３４は、その合計値を基調テイスト喚起度として採用してもよいし、その合計値に定数を加算することで得られた値を基調テイスト喚起度として採用してもよい。基調テイスト喚起度は、全デザインアイテムの最大値デザイン要素の組み合わせが、基調テイストの喚起に寄与する程度を示す値（印象の強度を示す値）に相当する。基調テイスト喚起度が高い最大値デザイン要素の組み合わせほど、基調テイストの喚起に寄与する程度が高いことになる。
【００４５】
決定部３６は、基調テイスト喚起度が喚起度閾値（印象強度閾値）以上となる最大値デザイン要素の組み合わせを、適合デザイン要素の組み合わせとして決定する。喚起度閾値は、予め設定された値であってもよいし、ユーザによって変更されてもよい。
【００４６】
デザイン作成部３８は、各デザインアイテムのデザイン要素を用いて、デザイン作成の対象物のデザインサンプル（例えば対象物の画像やテンプレート等）を作成する。例えば、デザイン作成部３８は、上記の適合デザイン要素の組み合わせを用いて、デザイン作成の対象物のデザインサンプルを作成する。これにより、基調テイストの印象を主に喚起しつつ、他の印象を副次的に喚起するデザインサンプルが作成される。以下では、適合デザイン要素の組み合わせを用いて作成されたデザインサンプルを、「非類似サンプル」と称することがある。また、デザイン作成部３８は、基調テイストに対応するデザイン要素を用いてデザインサンプルを作成してもよい。デザイン作成部３８によって作成されたデザインサンプルを表すデータは、例えば、通信部１４を介して端末装置１２に送信される。
【００４７】
制御部４０は、デザイン作成装置１０の各部の動作を制御する。
【００４８】
以下、図３を参照して、端末装置１２の構成について詳しく説明する。図３には、端末装置１２の構成が示されている。
【００４９】
通信部４２は通信インターフェースであり、通信経路Ｎを介して、他の装置にデータを送信する機能、及び、他の装置からデータを受信する機能を備えている。例えば、通信部４２によって、設定情報等の情報がデザイン作成装置１０に送信され、デザイン作成装置１０から送信されたデザインサンプルを表すデータが受信される。記憶部４４はハードディスク等の記憶装置であり、プログラムやデータ等を記憶する。ＵＩ部４６はユーザインターフェースであり、表示部と操作部を含む。操作部は、例えばキーボード、マウス、タッチパネル、等の入力装置である。制御部４８は、端末装置１２の各部の動作を制御する。
【００５０】
以下、図４を参照して、印象マップ（テイストマップ）について詳しく説明する。図４には、印象マップの一例が示されている。印象マップ５０は、例えば、２つの軸（Ｘ軸、Ｙ軸）で規定された２次元マップである。印象マップ５０上の各座標には、テイストを示す感性情報が予め対応付けられている。印象マップ５０上の座標を指定することにより、その座標に対応するテイスト（印象）が特定される。印象マップ５０においては、横軸（Ｘ軸）がテイストの指標「ＷＡＲＭ」と「ＣＯＯＬ」を規定する指標軸であり、縦軸（Ｙ軸）がテイストの指標「ＨＡＲＤ」と「ＳＯＦＴ」を規定する指標軸である。例えば、右側の領域ほど「ＣＯＯＬ」の印象が強くなっている。つまり、右側の領域ほど「ＣＯＯＬ」感が強く感じられるテイストが対応付けられている。一方、左側の領域ほど「ＷＡＲＭ」の印象が強くなっている。つまり、左側の領域ほど「ＷＡＲＭ」感が強く感じられるテイストが対応付けられている。また、上側の領域ほど「ＳＯＦＴ」の印象が強くなっている。つまり、上側の領域ほど「ＳＯＦＴ」感が強く感じられるテイストが対応付けられている。一方、下側の領域ほど「ＨＡＲＤ」感が強くなっている。つまり、下側の領域ほど「ＨＡＲＤ」感が強く感じられるテイストが対応付けられている。
【００５１】
図４に示す例では、印象マップ５０は複数の領域に分割されており、各領域に感性情報（例えば符号５２で示すテイスト「ロマンチック」等）が対応付けられている。印象マップ５０は予め作成され、そのデータは感性ＤＢ２０に予め記憶されている。デザイン作成の対象物毎に異なる印象マップが定義されてもよいし、複数の対象物に対して共通の印象マップが定義されてもよい。なお、印象マップは、３次元以上の次元を有するマップであってもよいし、１次元のマップであってもよい。
【００５２】
以下、図５及び図６を参照して、感性スコアデータについて説明する。図５及び図６には、感性スコアデータの一例が示されている。感性スコアデータは、デザイン作成の対象物毎及びテイスト毎に予め作成されたデータであり、感性ＤＢ２０に記憶されている。感性スコアデータにおいては、デザインアイテムとデザイン要素（デザイン属性）と感性スコア（テイストスコア）とが対応付けられている。デザインアイテムは、デザインサンプルを構成する個々のデザイン部品である。各デザインアイテムには１又は複数のデザイン要素が対応付けられている。各デザイン要素は、当該デザイン要素が対応付けられているデザインアイテムのデザインを規定する要素である。感性スコアは、テイストに対するデザイン要素の喚起度（印象強度、適合度）を示す値である。つまり、感性スコアは、デザイン要素がテイスト（印象）の喚起に寄与する程度を示す値（印象の強度を示す値）であり、例えば、数量化１類の分析によって得られた値である。
【００５３】
図５及び図６に示す例では、デザイン作成の対象物は「名刺」であり、デザインのテイストは「ワイルド」である。つまり、図５及び図６に示されている感性スコアデータは、対象物を「名刺」として、テイスト「ワイルド」に対する各デザイン要素の喚起度（印象強度）を示すデータである。一例として、「背景図案」、「ベースカラーの色相（図案の色）」、「ベースカラーの色調（図案の色）」、「文字情報のレイアウト」、等が、対象物「名刺」のデザインアイテムである。デザインアイテム毎に１又は複数のデザイン要素が対応付けられており、デザイン要素毎に、テイスト「ワイルド」に対するデザイン要素の喚起度（印象強度）、つまり、デザイン要素がテイスト「ワイルド」の喚起に寄与する程度を示す喚起度が、感性スコアとして求められている。高い感性スコアを有するデザイン要素ほど、テイスト「ワイルド」の喚起に寄与する程度が高いデザイン要素であり、テイスト「ワイルド」に適したデザイン要素に相当する。
【００５４】
例えば、デザインアイテム「背景図案」については、デザイン要素「６：図案６」の感性スコアは「０．０４」であり、デザイン要素「７：図案７」の感性スコアは「０．４６」である。それ故、デザイン要素「６：図案６」よりもデザイン要素「７：図案７」の方が、対象物「名刺」のデザインアイテム「背景図案」に関して、テイスト「ワイルド」の喚起に寄与する程度が高い。すなわち、デザイン要素「６：図案６」よりもデザイン要素「７：図案７」の方が、より「ワイルド」な印象を与えると評価されている。
【００５５】
また、デザインアイテム「背景図案」については、デザイン要素「７：図案７」の感性スコアが最も高い。つまり、対象物「名刺」のデザインアイテム「背景図案」に関して、他のデザイン要素と比べて、デザイン要素「７：図案７」がテイスト「ワイルド」の喚起に寄与する程度が高いと評価されている。すなわち、デザイン要素「７：図案７」が、デザインアイテム「背景図案」に属する複数のデザイン要素の中で、最も「ワイルド」な印象を与えると評価されている。
【００５６】
デザインアイテム「背景図案」についてはデザイン要素「７：図案７」の感性スコアが最大値である。デザインアイテム「ベースカラーの色相（図案の色）」についてはデザイン要素「１：Ｒ」の感性スコアが最大値である。デザインアイテム「ベースカラーの色調（図案の色）」についてはデザイン要素「１：Ｖ＆Ｓ」の感性スコアが最大値である。デザインアイテム「文字情報のレイアウト」についてはデザイン要素「８：パターン８」の感性スコアが最大値である。デザインアイテム「氏名のフォントサイズ」についてはデザイン要素「特大（３１Ｐ以上）」の感性スコアが最大値である。デザインアイテム「氏名のフォントタイプ」についてはデザイン要素「６：フォント６」の感性スコアが最大値である。それ故、全デザインアイテムについてこれらのデザイン要素が用いられた場合に、テイスト「ワイルド」の印象強度（喚起度）が最大となる。つまり、全デザインアイテムについてこれらのデザイン要素を用いて対象物「名刺」のデザインサンプルを作成した場合、他のデザイン要素を用いる場合と比べて、より「ワイルド」なテイスト（印象）を有するデザインサンプルが作成される。このようにして作成されたデザインサンプルは、「ワイルド」なテイスト（印象）を有するデザインサンプルとして分類され、図４に示されている印象マップ５０上においては、テイスト「ワイルド」に対応する座標に対応付けられる。
【００５７】
例えば、デザインサンプルの作成時に、ユーザによってテイスト「ワイルド」が指定されると、デザイン作成部３８は、テイスト「ワイルド」に関する感性スコアデータを参照し、デザインアイテム毎に、最大の感性スコアを有するデザイン要素を選択する。上述したように、デザイン要素「７：図案７」、デザイン要素「１：Ｒ」等が選択される。デザイン作成部３８は、選択した各デザイン要素を用いてデザインサンプルを作成する。これにより、「ワイルド」なテイスト（印象）を持つデザインサンプルが作成され、そのデザインサンプルのデータがユーザに提供される。
【００５８】
なお、テイスト毎にデザインサンプルが予め作成されて、各デザインサンプルのデータが情報記憶部１６に予め記憶されていてもよい。例えば、「ワイルド」なテイストを有するデザインサンプルが予め作成されて、そのデザインサンプルのデータが情報記憶部１６に予め記憶される。他のテイストを有するデザインサンプルも予め作成されて、そのデータが情報記憶部１６に予め記憶される。この場合において、ユーザによってテイストが指定されると、デザイン作成部３８は、情報記憶部１６において、指定されたテイストを有するデザインサンプルのデータを検索し、情報記憶部１６からそのデザインサンプルのデータを取得する。そのデザインサンプルのデータは、通信経路Ｎを介して、デザイン作成装置１０から端末装置１２に送信される。
【００５９】
また、適合デザイン要素の組み合わせを用いて作成された非類似サンプルが予め作成されて、その非類似サンプルのデータが情報記憶部１６に予め記憶されてもよい。この場合において、ユーザによって基調テイストが指定されて非類似サンプルの表示指示が与えられると、デザイン作成部３８は、情報記憶部１６において、指定された基調テイストの印象を主に喚起しつつ、他の印象を副次的に喚起する非類似サンプルのデータを検索し、情報記憶部１６からその非類似サンプルのデータを取得する。その非類似サンプルのデータは、通信経路Ｎを介して、デザイン作成装置１０から端末装置１２に送信される。
【００６０】
なお、互いに印象が類似するデザインサンプル（以下、「類似サンプル」と称する）が予め作成されて、その類似サンプルのデータが情報記憶部１６に予め記憶されてもよい。この場合において、ユーザによってデザインサンプルが指定されて類似サンプルの表示指示が与えられると、デザイン作成部３８は、情報記憶部１６において、指定されたデザインサンプルに類似する類似サンプルのデータを検索し、情報記憶部１６からその類似サンプルのデータを取得する。その類似サンプルのデータは、通信経路Ｎを介して、デザイン作成装置１０から端末装置１２に送信される。
【００６１】
対象物「名刺」に関して、テイスト「ワイルド」以外のテイストについても、図５及び図６に示されているデザインアイテム及びデザイン要素と同一のデザインアイテム及びデザイン要素が定義されており、各デザイン要素の感性スコアが求められている。対象物「名刺」に関して各テイストについての感性スコアデータが予め作成されて、感性ＤＢ２０に予め記憶されている。
【００６２】
なお、図５及び図６に示す例では、対象物「名刺」の場合について説明したが、他の対象物についても同様にテイスト毎に感性スコアデータが予め作成されて、感性ＤＢ２０に予め記憶されている。例えば、広告、チラシ、ポスター、はがき、その他の文書、衣服、車、建物、橋、等について、それぞれの感性スコアデータが予め作成されて感性ＤＢ２０に予め記憶されている。対象物毎にデザインアイテムとデザイン要素が定義され、各デザイン要素の感性スコアが求められる。例えば、「名刺」と「広告」とでは、異なるデザインアイテムとデザイン要素が用いられる。
【００６３】
以下、デザインサンプル作成時に表示される画面について詳しく説明する。一例として、対象物「名刺」のデザインサンプルを作成するものとする。そのデザインを作成する際に、端末装置１２において、ユーザによって、名刺に表示される名刺情報（ユーザの個人情報）等が入力される。入力された情報は、通信経路Ｎを介して端末装置１２からデザイン作成装置１０に送信される。もちろん、それらの情報は、デザイン作成装置１０に直接入力されてもよい。
【００６４】
まず、図７を参照して、名刺情報を入力するための画面について説明する。図７には、その画面の一例が示されている。名刺情報登録画面５４は、名刺情報を入力するための画面であり、例えば、端末装置１２のＵＩ部４６に表示される。名刺情報登録画面５４には入力欄５６が含まれており、その入力欄５６に、名刺情報（氏名、会社名、連絡先等の情報）が入力されるようになっている。入力欄５６に名刺情報が入力されると、その名刺情報を含む名刺の画像５８が、名刺情報登録画面５４に表示される。その画像５８は、デフォルトのデザインを有する名刺の画像である。入力された名刺情報は、通信経路Ｎを介して端末装置１２からデザイン作成装置１０に送信される。デザイン作成装置１０のデザイン作成部３８は、その名刺情報を用いてデザインサンプルを作成する。
【００６５】
次に、図８を参照して、デザインサンプルを表示するための画面について説明する。図８には、その画面の一例が示されている。デザインサンプル表示画面６０は、デザインサンプルを表示するための画面であり、例えば、端末装置１２のＵＩ部４６に表示される。デザインサンプル表示画面６０には、基調テイストを指定するための欄（デザインテイスト指定）が含まれており、その欄がユーザによって指定されると、テイストを選択するための選択欄６２が例えばポップアップ方式で表示される。図８に示す例では、選択欄６２内に、「ロマンチック」、「ナチュラル」等のテイストを示す文字列が表示されている。ユーザは、選択欄６２内に表示されたテイスト群の中から特定のテイストを選択する。その選択されたテイストが基調テイストとして採用される。基調テイストを識別するための識別情報（例えばテイストＩＤ）が、通信経路Ｎを介して端末装置１２からデザイン作成装置１０に送信される。デザイン作成装置１０においては、アクセントテイスト選択部２６が、その基調テイストに基づいてアクセントテイストを選択し、適合デザイン要素決定部２８が、基調テイストを喚起する基準を満たす適合デザイン要素の組み合わせを決定し、デザイン作成部３８が、その適合デザイン要素の組み合わせを用いてデザインサンプルを作成する。または、デザイン作成部３８は、その適合デザイン要素の組み合わせを有するデザインサンプルを検索する。これらの処理については後で詳しく説明する。
【００６６】
図８に示す例では、デザインサンプル表示画面６０に、サンプル表示条件を指定するための欄が含まれている。サンプル表示条件として、例えば、表示数、表示順序、型、カラーモード、ロゴの表示、写真の表示、背景、等が、ユーザによって指定されるようになっている。指定されたサンプル表示条件に従ってデザインサンプルが表示される。
【００６７】
次に、図９を参照して、デザインサンプルの表示例について説明する。図９には、デザインサンプル表示画面６０が示されている。デザインサンプル表示画面６０には、非類似サンプル表示ボタン６４と類似サンプル表示ボタン６６とが表示されている。
【００６８】
非類似サンプル表示ボタン６４は、非類似サンプル（基調テイストを喚起する基準を満たす適合デザイン要素の組み合わせによって作成されたデザインサンプル）の表示を指示するためのボタンである。ユーザによって基調テイスト及び表示条件が指定された上で、非類似サンプル表示ボタン６４が押下されると、非類似サンプルの表示指示を示す情報が、通信経路Ｎを介して、端末装置１２からデザイン作成装置１０に送信される。デザイン作成装置１０では、非類似サンプルが作成又は検索され、その非類似サンプルのデータが、通信経路Ｎを介してデザイン作成装置１０から端末装置１２に送信される。これにより、デザインサンプル表示画面６０に、非類似サンプルの一覧６８が表示される。
【００６９】
類似サンプル表示ボタン６６は、類似サンプル（指定されたデザインサンプルに類似するデザインサンプル）の表示を指示するためのボタンである。ユーザによって特定のデザインサンプル（例えば非類似サンプル）が指定された上で、類似サンプル表示ボタン６６が押下されると、デザインサンプル表示画面６０に、指定されたデザインサンプルに類似する類似サンプルの一覧が表示される。もちろん、非類似サンプル以外のデザインサンプルが指定され、そのデザインサンプルに類似する類似サンプルが表示されてもよい。
【００７０】
次に、図１０を参照して、非類似サンプル表示の設定項目について説明する。図１０には、デザインサンプル表示画面６０が示されている。デザインサンプル表示画面６０には、設定ボタン７０が表示されている。この設定ボタン７０がユーザによって押下されると、非類似サンプルの作成条件又は検索条件を設定するためのウィンドウ７２が表示される。デザイン作成装置１０においては、その作成条件又は検索条件としてデフォルトの条件が予め設定されており、ユーザが作成条件又は検索条件を変更する場合、デザインサンプル表示画面６０においてその条件が設定される。
【００７１】
ウィンドウ７２内には、その作成条件又は検索条件を設定するための欄として、アクセントテイストの選定方式（ミックスするテイストの選定方式）を選択するための欄、印象強度閾値（喚起度閾値）を設定するための欄、混合比を設定するための欄、デザインサンプルに付加する情報を指定するための欄、等が表示される。
【００７２】
アクセントテイストの選定方式は、アクセントテイスト選択部２６によって実行される選択方式であり、ユーザによって、選択方式１，２，３のいずれかが選択されるようになっている。ユーザによって選択方式が選択されない場合、デフォルトの選択方式が用いられる。
【００７３】
印象強度閾値（喚起度閾値）は、決定部３６によって用いられる値である。ユーザによって印象強度閾値が指定されない場合、デフォルトの値が印象強度閾値として用いられる。
【００７４】
混合比は、各デザイン要素の感性スコアを混合する際の混合比である。ユーザによって混合比が指定されると、混合感性スコア演算部３２は、ユーザによって指定された混合比を用いて感性スコアを混合して混合感性スコアを演算する。ユーザによって混合比が指定されない場合、混合比設定部３０が混合比を自動的に設定し、混合感性スコア演算部３２は、混合比設定部３０によって設定された混合比を用いて混合感性スコアを演算する。
【００７５】
デザインサンプルに付加する情報は、例えば、基調テイスト名、アクセントテイスト名（ミックスしたテイストの名称）、混合比率、等である。ユーザによってこれらの情報が指定されると、デザインサンプルの表示時に、これらの情報も併せて表示される。
【００７６】
ユーザによって作成条件又は検索条件が設定されると、その条件を示す情報が、非類似サンプルの表示指示を示す情報とともに、通信経路Ｎを介して端末装置１２からデザイン作成装置１０に送信される。デザイン作成装置１０は、その作成条件又は検索条件に従って非類似サンプルを作成又は検索する。
【００７７】
以下、デザイン作成装置１０による処理について説明する。
【００７８】
まず、図１１を参照して、非類似サンプルの作成処理の概略について説明する。図１１には、その処理を示すフローチャートが示されている。以下では、対象物「名刺」の非類似サンプルを作成するものとする。
【００７９】
まず、ユーザが端末装置１２を利用して、名刺情報を入力するとともに、基調テイストを指定する（Ｓ０１）。例えば、ユーザが端末装置１２を利用してデザイン作成装置１０にアクセスすると、端末装置１２のＵＩ部４６には、図７に示されている名刺情報登録画面５４と、図８に示されているデザインサンプル表示画面６０が表示される。名刺情報登録画面５４とデザインサンプル表示画面６０は、切換操作に応じて、切り替えてＵＩ部４６に表示される。ユーザによって、名刺情報登録画面５４上で名刺情報が入力され、デザインサンプル表示画面６０上で基調テイスト（例えば「ワイルド」等のテイスト）が指定される。その他、デザインサンプル表示画面６０上で、ユーザによって表示条件、及び、非類似サンプルの作成条件又は検索条件が指定される。
【００８０】
次に、ユーザが端末装置１２を利用して、非類似サンプルの表示指示を与える（Ｓ０２）。例えば、デザインサンプル表示画面６０に表示されている非類似サンプル表示ボタン６４がユーザによって押下されると、非類似サンプルの表示指示が与えられる。これに応じて、非類似サンプルの表示指示を示す情報、基調テイストを識別するための識別情報、及び、非類似サンプルの作成条件又は検索条件を示す情報が、通信経路Ｎを介して端末装置１２からデザイン作成装置１０に送信される。
【００８１】
デザイン作成装置１０においては、アクセントテイスト選択部２６が、選択方式１，２，３のいずれかの方式に従って、アクセントテイストを選択し（Ｓ０３）、適合デザイン要素決定部２８は、適合デザイン要素の組み合わせを決定する（Ｓ０４）。
【００８２】
適合デザイン要素の組み合わせを有する非類似サンプルが、既に端末装置１２に送られて表示されている場合（Ｓ０５，Ｙｅｓ）、適合デザイン要素決定部２８は、他の適合デザイン要素の組み合わせを決定する（Ｓ０４）。
【００８３】
適合デザイン要素の組み合わせを有する非類似サンプルが、未だ端末装置１２に送られて表示されていない場合（Ｓ０５，Ｎｏ）、デザイン作成部３８は、その適合デザイン要素の組み合わせを用いてデザインサンプルつまり非類似サンプルを作成する（Ｓ０６）。別の例として、デザインサンプル群が予め作成されて情報記憶部１６に予め記憶されている場合、デザイン作成部３８は、情報記憶部１６において、適合デザイン要素の組み合わせを有するデザインサンプルを検索し、そのデザインサンプルを非類似サンプルとして情報記憶部１６から取得してもよい。
【００８４】
上記のようにして作成又は検索された非類似サンプルのデータは、通信経路Ｎを介してデザイン作成装置１０から端末装置１２に送信され、端末装置１２のＵＩ部４６に非類似サンプルが表示される。例えば、図９に示すように、非類似サンプルの一覧６８が表示される。非類似サンプルは、例えばテンプレートとして機能し、ユーザによって編集されてもよい。例えば、一覧６８の中から特定の非類似サンプルが選択され、その非類似サンプル中のフォントの種類、文字の配置、色、デザイン、名刺情報、等が、ユーザによって編集される。また、ユーザによって印刷指示が与えられた場合、非類似サンプルが印刷されてもよい。
【００８５】
次に、図１２から図１４を参照して、アクセントテイスト選択部２６による処理について詳しく説明する。
【００８６】
まず、図１２を参照して、選択方式１に従った処理について説明する。図１２は、その処理を示すフローチャートが示されている。選択方式１は固定方式である。
【００８７】
まず、アクセントテイスト選択部２６は、テイストの優先順位が規定されたアクセントテイストリストを読み出す（Ｓ１０）。このアクセントテイストリストは予め作成されており、そのデータは例えば情報記憶部１６に予め記憶されている。また、その優先順位は予め決定されている。アクセントテイストリストには、例えば図４に示されている各テイストの優先順位が規定されている。
【００８８】
次に、アクセントテイスト選択部２６は。そのアクセントテイストリストの中から、優先順にＮ個（Ｎは１以上の整数）のテイストを選択する（Ｓ１１）。Ｎは、予め設定された値であってもよいし、ユーザによって変更されてもよい。
【００８９】
上記Ｎ個のテイストの中に基調テイストと同じテイストが含まれている場合（Ｓ１２，Ｙｅｓ）、アクセントテイスト選択部２６は、上記Ｎ個のテイストから基調テイストと同じテイストを除外し、除外したテイストの代りに、次の順位（（Ｎ＋１）番目）のテイストをアクセントテイストリストから選択する（Ｓ１３）。これにより、基調テイストと同じテイストを含まないＮ個のテイストがアクセントテイストとして選択される。
【００９０】
一方、上記Ｎ個のテイストの中に基調テイストと同じテイストが含まれていない場合（Ｓ１２，Ｎｏ）、処理はステップＳ１４に移行する。この場合、ステップＳ１１にて選択されたＮ個のテイストがアクセントテイストとして選択される。
【００９１】
ステップＳ１４では、アクセントテイスト選択部２６は、ステップＳ１１からステップＳ１３の処理によって選択されたＮ個のテイストをアクセントテイストとして決定し、Ｎ個のテイストの優先順位を、適合デザイン要素決定部２８による処理の実施順序として決定する。
【００９２】
次に、図１３を参照して、選択方式２に従った処理について説明する。図１３には、その処理を示すフローチャートが示されている。選択方式２は遠距離方式である。
【００９３】
まず、アクセントテイスト選択部２６は、テイスト座標テーブルを読み出す（Ｓ２０）。テイスト座標テーブルは予め作成されており、そのデータは例えば情報記憶部１６に予め記憶されている。このテイスト座標データは、例えば図４に示されている印象マップ５０上における各テイストの座標を示すデータである。
【００９４】
次に、アクセントテイスト選択部２６は、テイスト座標テーブルを参照して、基調テイストＢから各テイストまでの距離（例えば印象マップ５０上の距離）を算出し（Ｓ２１）、基調テイストＢからの距離が最大となるテイストＴ１を選択する（Ｓ２２）。
【００９５】
次に、アクセントテイスト選択部２６は、テイスト座標テーブルを参照して、基調テイストＢからの距離とテイストＴ１からの距離との合計が最大となるテイストＴ２を選択する（Ｓ２３）。
【００９６】
さらに、アクセントテイスト選択部２６は、基調テイストＢ及びテイストＴ１，Ｔ２からの距離の合計が最大となるテイストＴ３を選択する（Ｓ２４）。
【００９７】
アクセントテイスト選択部２６は、上記の選択処理をＮ回実施する（Ｓ２５）。これにより、Ｎ個のテイスト（テイストＴ１，Ｔ２，・・・，ＴＮ）が選択される。
【００９８】
アクセントテイスト選択部２６は、上記のようにして選択されたＮ個のテイストをアクセントテイストとして決定し、Ｎ個のテイストの選択順番を、適合デザイン要素決定部２８による処理の実施順序として決定する（Ｓ２６）。基調テイストからの距離が長いテイストほど、先の順序が割り当てられる。
【００９９】
印象マップ５０上において、基調テイストからの距離が長いテイストほど、基調テイストが有する印象との差が大きい印象を有することになる。それ故、選択方式２に従ってアクセントテイストを選択することにより、基調テイストが有する印象との差が比較的に大きい印象を有するテイストがアクセントテイストとして選択される。また、基調テイスト及び他のアクセントテイストからの距離の合計が最大となるテイストが、更に別のアクセントテイストとして選択される。これにより、互いに異なる印象を有する複数のアクセントテイストが選択される。
【０１００】
ここで、図１４を参照して、テイスト座標テーブルとして利用される情報の一例について説明する。図１４には、テイストに対する因子分析の結果としての因子負荷量の一例が示されている。テイストの印象構造を規定する因子が抽出され、その因子負荷量が予め演算されている。因子負荷量の差が大きいテイスト同士ほど、それらが持つ印象の差が大きくなる。この因子負荷量が、印象マップ上における座標に相当するため、因子負荷量を用いてアクセントテイストを選択してもよい。もちろん、因子分析結果を用いずに、印象マップ５０を用いて距離を算出してアクセントテイストを選択してもよい。別の例として、アクセントテイスト選択部２６は、因子負荷量が正負側に最大となるテイストをアクセントテイストとして選択してもよい。
【０１０１】
次に、図１５を参照して、選択方式３に従った処理について説明する。図１５には、その処理を示すフローチャートが示されている。選択方式３はクラスタを利用した遠距離方式である。
【０１０２】
まず、アクセントテイスト選択部２６は、クラスタ別のテイスト相互間距離テーブルを読み出す（Ｓ３０）。複数のテイストが予め設定された基準に従って予めクラスタリングされており、そのクラスタを示すデータは例えば情報記憶部１６に予め記憶されている。例えば、類似する印象を有するテイストが同じクラスタに分類されている。また、テイスト相互間距離テーブルは、クラスタ毎に予め作成されており、そのデータは例えば情報記憶部１６に予め記憶されている。テイスト相互間距離テーブルにおいては、印象マップ上における各テイスト間の距離が規定されている。例えば、図４に示されている印象マップ５０上における各テイスト間の距離を算出して、テイスト相互間距離テーブルを作成してもよいし、図１４に示されている因子負荷量を用いて各テイスト間の距離を算出して、テイスト相互間距離テーブルを算出してもよい。
【０１０３】
次に、アクセントテイスト選択部２６は、クラスタ別のテイスト相互間距離テーブルを参照して、基調テイストからの距離が長い順に、未選択のクラスタから合計でＮ個のテイストを選択する（Ｓ３１）。
【０１０４】
次に、アクセントテイスト選択部２６は、上記のようにして選択されたＮ個のテイストをアクセントテイストとして決定し、基調テイストからの距離に従って、適合デザイン要素決定部２８による処理の実施順序を決定する（Ｓ３２）。基調テイストからの距離が長いテイストほど、先の順序が割り当てられる。
【０１０５】
基調テイストからの距離が長いテイストほど、基調テイストが有する印象との差が大きい印象を有することになる。それ故、選択方式３に従ってアクセントテイストを選択することにより、上記の選択方式２と同様に、基調テイストが有する印象との差が比較的に大きい印象を有するテイストがアクセントテイストとして選択される。
【０１０６】
ここで、図１６を参照して、テイストのクラスタリングについて説明する。図１６には、テイストのクラスタリングの一例が示されている。図１６に示す例では、樹形図を用いてクラスタリングの様子が描画されている。例えば、互いに類似する印象を有するテイストが同一のクラスタに分類されている。このクラスタを示すデータは、情報記憶部１６に予め記憶されている。
【０１０７】
図１７には、クラスタ別のテイスト相互間距離テーブルの一例が示されている。このテイスト相互間距離テーブルは、基調テイストとして「プリティ」が指定された場合において、その基調テイスト「プリティ」と各テイストとの間の距離を示すテーブルである。アクセントテイスト選択部２６は、このテーブルを参照して、基調テイストからの距離が長い順に、各クラスタから合計でＮ個のテイストを選択する。
【０１０８】
上記の選択方式１，２，３は、例えば図１０に示されているデザインサンプル表示画面６０上でユーザよって指定される。なお、ユーザによって選択方式が指定されなかった場合、アクセントテイスト選択部２６は、選択方式１，２，３のうち予め設定された選択方式に従ってアクセントテイストを選択する。
【０１０９】
以上のようにＮ個のアクセントテイストが選択されると、Ｎ個のアクセントテイストを識別するための識別情報（テイストＩＤ）が、アクセントテイスト選択部２６から適合デザイン要素決定部２８に出力され、適合デザイン要素決定部２８によって処理が実行される。これにより、適合デザイン要素の組み合わせが決定される。
【０１１０】
以下、図１８を参照して、適合デザイン要素決定部２８による処理について説明する。図１８には、その処理を示すフローチャートが示されている。
【０１１１】
まず、混合感性スコア演算部３２は、Ｎ個のアクセントテイストの中から処理の実施順序に従って１個のアクセントテイストを選択する（Ｓ４０）。この実施順序は、上述したように、アクセントテイスト選択部２６によって決定される。
【０１１２】
次に、デザイン要素の混合比の初期値が設定される（Ｓ４１）。ユーザによって混合比が設定されている場合、この混合比が初期値として用いられる。ユーザによって混合比が設定されていない場合、混合比設定部３０が、混合比の初期値を設定する。混合比の初期値として、例えば、基調テイストの比率が９５％であり、アクセントテイストの比率が５％である。
【０１１３】
次に、混合感性スコア演算部３２は、基調テイストの感性スコアデータとアクセントテイストの感性スコアデータを感性ＤＢ２０から読み出す（Ｓ４２）。
【０１１４】
次に、混合感性スコア演算部３２は、基調テイストの感性スコアデータとアクセントテイストの感性スコアデータを参照して、デザイン要素が基調テイストの喚起に寄与する程度を示す基調感性スコアと、同一のデザイン要素がアクセントテイストの喚起に寄与する程度を示すアクセント感性スコアと、を混合することにより、デザイン要素毎に混合感性スコアを演算する。具体的には、混合感性スコア演算部３２は、基調感性スコアに、混合比における基調テイストの比率（例えば０．９５）を乗算し、アクセント感性スコアに、混合比におけるアクセントテイストの比率（例えば０．０５）を乗算し、各比率が乗算された基調感性スコアとアクセント感性テイストとを合算する。これにより、混合感性スコアが得られる。混合感性スコア演算部３２は、デザイン要素毎に演算処理を適用することにより、デザイン要素毎に混合感性スコアを演算する。次に、混合感性スコア演算部３２は、デザインアイテム毎に、最大の混合感性スコアを有するデザイン要素を、最大値デザイン要素として決定する（Ｓ４３）。
【０１１５】
次に、基調テイスト喚起度演算部３４は、全デザインアイテムの最大値デザイン要素の基調感性スコアを合算し、その合計値に基づいて、基調テイストと処理対象のアクセントテイストとに関する基調テイスト喚起度Ｓを演算する（Ｓ４４）。例えば、基調テイスト喚起度演算部３４は、その合計値に定数を合算することにより、基調テイスト喚起度Ｓを演算する。その定数は、予め設定された値である。なお、その定数は、ユーザによって変更されてもよい。別の例として、基調テイスト喚起度演算部３４は、上記の合計値を基調テイスト喚起度Ｓとして採用してもよい。
【０１１６】
基調テイスト喚起度Ｓが喚起度閾値θ（印象強度閾値θ）以上の場合（Ｓ４５，Ｙｅｓ）、混合比設定部３０は、混合比におけるアクセントテイストの比率を１段階増加させる（Ｓ４６）。その後、処理はステップＳ４３に戻る。ステップＳ４３では、新たに設定された混合比に従って、デザイン要素毎に混合感性スコアが演算され、デザインアイテム毎に最大値デザイン要素が決定される。以降、上記のステップＳ４４以降の処理が実行される。
【０１１７】
基調テイスト喚起度Ｓが喚起度閾値θ未満になるまで、混合比設定部３０によって、アクセントテイストの比率が段階的に増加させられ（Ｓ４６）、ステップＳ４３，Ｓ４４の処理が実行される。
【０１１８】
ここで、図１９を参照して、混合比の変化について説明する。図１９には、混合比の一例が示されている。混合比の初期値（１）として、例えば、基調テイストの比率が９５％であり、アクセントテイストの比率が５％である。混合比設定部３０は、例えば矢印で示す方向（（２）〜（１０）へ向かう方向）に、混合比を段階的に変化させる。混合比を１段階変えることにより、基調テイストとアクセントテイストの比率は５％変わる。混合比設定部３０は、基調テイストの比率を５％ずつ低くし、アクセントテイストの比率を５％ずつ高くする。これにより、混合比が段階的に変更される。
【０１１９】
基調テイスト喚起度Ｓが喚起度閾値θ以上の場合、混合比設定部３０によってアクセントテイストの比率を段階的増加させ、混合感性スコア演算部３２は、その比率に従って混合感性スコアを演算する。
【０１２０】
図１８に戻って説明する。基調テイスト喚起度Ｓが喚起度閾値θ未満の場合（Ｓ４５，Ｎｏ）、決定部３６は、基調テイスト喚起度Ｓが喚起度閾値θ以上となる最大値デザイン要素の組み合わせを適合デザイン要素の組み合わせとして決定する（Ｓ４７）。より詳しく説明すると、決定部３６は、基調テイスト喚起度Ｓが喚起度閾値θ未満となる混合比よりもアクセントテイストの比率が１段階低い混合比を用いた演算によって特定された最大値デザイン要素の組み合わせを、適合デザイン要素の組み合わせとして決定する。例えば、混合比（２）（基調テイスト：９０％、アクセントテイスト：１０％）のときに、基調テイスト喚起度Ｓが喚起度閾値θ以上となり、混合比（３）（基調テイスト：８５％、アクセントテイスト：１５％）のときに、基調テイスト喚起度Ｓが喚起度閾値θ未満になったとする。この場合、混合比（３）の１つ前の段階の混合比（２）が特定され、決定部３６は、その混合比（２）を用いた演算によって特定された最大値デザイン要素の組み合わせを、適合デザイン要素の組み合わせとして決定する。後述するように、この適合デザイン要素の組み合わせを用いて、デザインサンプルが作成される。
【０１２１】
上記の処理によって、デザインサンプル数が充足する場合（Ｓ４８，Ｙｅｓ）、つまり、要求されている表示数分（Ｍ個（Ｍは１以上の整数））のデザインサンプルを作成するための適合デザイン要素の組み合わせ（Ｍ個の組み合わせ）が決定された場合、処理はステップＳ４９へ移行する。
【０１２２】
一方、デザインサンプル数が充足していない場合（Ｓ４８，Ｎｏ）、処理はステップＳ４０に戻る。この場合、ステップＳ４０では、混合感性スコア演算部３２は、Ｎ個のアクセントテイストの中から実施順序に沿って、次の順位のアクセントテイストを選択する。以降、上記のステップＳ４１以降の処理が実行される。そして、Ｍ個の組み合わせが決定されるまで、ステップＳ４０以降の処理が実行される。
【０１２３】
デザインサンプルの表示数（Ｍ）は、端末装置１２を用いてユーザによって指定されてもよいし、予め設定されていてもよい。例えば、図８に示されているデザインサンプル表示画面６０においてユーザが表示数（Ｍ）を指定すると、その表示数分のデザインサンプルを作成するための適合デザイン要素の組み合わせが決定される。
【０１２４】
ステップＳ４９では、デザイン作成部３８が、適合デザイン要素の組み合わせを用いてデザインサンプルつまり非類似サンプルを作成する。この場合、Ｍ個の組み合わせを用いて、Ｍ個の非類似サンプルが作成される。なお、デザインサンプルが予め作成されて情報記憶部１６に記憶されている場合、デザイン作成部３８は、適合デザイン要素の組み合わせを有するデザインサンプル（非類似サンプル）を情報記憶部１６から取得する。
【０１２５】
非類似サンプルのデータは、通信経路Ｎを介してデザイン作成装置１０から端末装置１２に送信され、端末装置１２のＵＩ部４６に非類似サンプルが表示される。例えば、図９に示されているデザインサンプル表示画面６０において、非類似サンプルの一覧６８が表示される。
【０１２６】
また、基調テイスト名、アクセントテイスト名、及び、混合比の表示指示が与えられている場合、それらを示す情報も、類似サンプルのデータとともに、デザイン作成装置１０から端末装置１２に送信され、端末装置１２のＵＩ部４６に表示される。
【０１２７】
以下、図２０及び図２１を参照して、適合デザイン要素決定部２８による処理について、具体例を挙げて詳しく説明する。図２０及び図２１には、感性スコアデータの一例として、基調テイストに対する感性スコア、アクセントテイストに対する感性スコア、及び、混合感性スコアの一例が示されている。
【０１２８】
一例として、基調テイスト「プリティ」が指定されており、アクセントテイスト「ダイナミック」が選択されているものとする。また、混合比として、基本テイストの比率が５０％であり、アクセントテイストの比率が５０％であるとする。
【０１２９】
図２０及び図２１において、符号７４で示す列には、基本テイスト「プリティ」に対する各デザイン要素の感性スコア（基調感性スコア）が示されている。符号７６で示す列には、アクセントテイスト「ダイナミック」に対する各デザイン要素の感性スコア（アクセント感性スコア）が示されている。符号７８で示す列には、各デザイン要素の混合感性スコアが示されている。
【０１３０】
混合感性スコア演算部３２は、デザイン要素毎に、基調感性スコアとアクセント感性スコアとを混合する。具体的には、混合感性スコア演算部３２は、基調感性スコアに比率（０．５）を乗算し、アクセント感性スコアに比率（０．５）を乗算し、各比率が乗算された基調感性スコアとアクセント感性スコアとを合算する。これにより、混合感性スコアが得られる。
【０１３１】
具体例を挙げて説明する。デザインアイテム「背景図案」にはデザイン要素「１：渦状の木」が属している。基調テイスト「プリティ」に対するデザイン要素「１：渦状の木」の感性スコアは「０．７７」であり、アクセントテイスト「ダイナミック」に対するデザイン要素「１：渦状の木」の感性スコアは「−０．１０」である。従って、デザイン要素「１：渦状の木」の混合感性スコアは、以下の式に従って計算される。
混合感性スコア＝
０．７７×０．５＋（−０．１）×０．５＝０．３３
【０１３２】
他のデザイン要素についても、混合感性スコアが演算される。このようにして演算された混合感性スコアが、符号７８で示す列に示されている。
【０１３３】
また、混合感性スコア演算部３２は、デザインアイテム毎に、最大の混合感性スコアを有するデザイン要素を、最大値デザイン要素として選択する。具体例を挙げて説明すると、デザインアイテム「背景図案」については、デザイン要素「８：桜」の混合感性スコア「０．３５」が、デザインアイテム「背景図案」に属するデザイン要素群の中で最大となっている。それ故、デザイン要素「８：桜」が最大値デザイン要素として選択される。他のデザインアイテムについても、最大値デザイン要素が選択される。図２０及び図２１に示す例では、破線で囲まれているデザイン要素が、最大値デザイン要素に相当する。なお、同一のデザインアイテムにおいて、複数の最大値デザイン要素（同一の最大混合感性スコアを有する複数のデザイン要素）が存在する場合には、複数の最大値デザイン要素の中からいずれか１つの最大値デザイン要素が選択されてもよいし、ＩＤ番号が小さい最大値デザイン要素が選択されてもよい。
【０１３４】
以上のように最大値デザイン要素が決定されると、基調テイスト喚起度演算部３４は、全デザインアイテムの最大値デザイン要素の基調感性スコアを合算し、その合計値に基づいて、基調テイスト「プリティ」とアクセントテイスト「ダイナミック」とに関する基調テイスト喚起度Ｓを演算する。
【０１３５】
図２０及び図２１に示す例では、以下に示すデザイン要素が最大値デザイン要素として選択されている。
デザインアイテム「背景図案」：デザイン要素「８：桜」（基調感性スコア＝０．７６）
デザインアイテム「文字要素の分布」：デザイン要素「８：放射」（基調感性スコア＝０．０８）
デザインアイテム「氏名のフォント」：デザイン要素「４：丸ゴシック」（基調感性スコア＝０．１０）
デザインアイテム「氏名の書き方向」：デザイン要素「２：縦」（基調感性スコア＝０．０５）
デザインアイテム「氏名の垂直寄せ」：デザイン要素「２：中上」（基調感性スコア＝０．０２）
デザインアイテム「氏名の水平寄せ」：デザイン要素「１：左」（基調感性スコア＝０．０１）
デザインアイテム「氏名の形」：デザイン要素「２：斜線」（基調感性スコア＝０．０６）
デザインアイテム「氏名のサイズ」：デザイン要素「４：３１以上」（基調感性スコア＝０．０２）
デザインアイテム「会社名の書き方向」：デザイン要素「１：横」（基調感性スコア＝０．０２）
デザインアイテム「会社名の垂直寄せ」：デザイン要素「２：中上」（基調感性スコア＝０．０３）
デザインアイテム「会社名の水平寄せ」：デザイン要素「３：中」（基調感性スコア＝０．０３）
デザインアイテム「会社名のサイズ」：デザイン要素「１：９未満」（基調感性スコア＝０．１０）
【０１３６】
上記の例においては、全デザインアイテムの最大値デザイン要素の基調感性スコアの合算値は、以下のように計算される。
合算値＝０．７６＋０．０８＋０．１０＋０．０５＋０．０２＋０．０１＋０．０６＋０．０２＋０．０２＋０．０３＋０．０３＋０．０１
＝１．３８
【０１３７】
基調テイスト喚起度演算部３４は、上記の合算値「１．３８」に定数（例えば「１．２５」）を加算する。これより、基調テイスト喚起度Ｓ（１．３８＋１．２５＝２．６３）が得られる。定数「１．２５」は、ユーザによって変更されてもよい。
【０１３８】
基調テイスト喚起度Ｓは、全デザインアイテムの最大値デザイン要素の組み合わせが、基調テイストの喚起に寄与する程度を示す値（印象強度値）に相当する。基調テイスト喚起度Ｓが大きいほど、その最大デザイン要素の組み合わせが基調テイストの喚起に寄与する程度が大きいことになる。
【０１３９】
基調テイスト喚起度Ｓと基調テイストの喚起に寄与する程度との関係は、例えば以下のようになっている。
基調テイスト喚起度Ｓ＝１の場合、全く感じない。
基調テイスト喚起度Ｓ＝２の場合、あまり感じない。
基調テイスト喚起度Ｓ＝３の場合、やや感じる。
基調テイスト喚起度Ｓ＝４の場合、かなり感じる。
基調テイスト喚起度Ｓ＝５の場合、非常に感じる。
【０１４０】
例えば、基調テイスト喚起度Ｓが「１」の場合、基調テイストの喚起に寄与する程度が非常に低く、その基調テイスト喚起度Ｓを有する最大値デザイン要素の組み合わせによってデザインサンプルを作成した場合、そのデザインサンプルから基調テイストの印象が全く感じ取れないことになる。
【０１４１】
基調テイスト喚起度Ｓが「２」の場合、基調テイストの喚起に寄与する程度が低く、その基調テイスト喚起度Ｓを有する最大値デザイン要素の組み合わせによってデザインサンプルを作成した場合、そのデザインサンプルから基調テイストの印象があまり感じ取れないことになる。
【０１４２】
基調テイスト喚起度Ｓが「３」の場合、基調テイストの喚起に寄与する程度が中程度であり、その基調テイスト喚起度Ｓを有する最大値デザイン要素の組み合わせによってデザインサンプルを作成した場合、そのデザインサンプルから基調テイストの印象がやや感じ取れることになる。
【０１４３】
基調テイスト喚起度Ｓが「４」の場合、基調テイストの喚起に寄与する程度が強く、その基調テイスト喚起度Ｓを有する最大値デザイン要素の組み合わせによってデザインサンプルを作成した場合、そのデザインサンプルから基調テイストの印象がかなり感じ取れることになる。
【０１４４】
基調テイスト喚起度Ｓが「５」の場合、機構テイストの喚起に寄与する程度が非常に強く、その基調テイスト喚起度Ｓを有する最大値デザイン要素の組み合わせによってデザインサンプルを作成した場合、そのデザインサンプルから基調テイストの印象が非常に感じ取れることになる。
【０１４５】
以上のようにして得られた基調テイスト喚起度Ｓと喚起度閾値θとが比較され、その比較結果に応じて、適合デザイン要素の組み合わせが決定される（図１８中のステップＳ４５，Ｓ４７参照）。
【０１４６】
適合デザイン要素の組み合わせを用いて作成されたデザインサンプル（非類似サンプル）が、基調テイストの印象を主に喚起しつつ、アクセントテイストの印象を副次的に喚起するように、喚起度閾値θが設定される。
【０１４７】
適合デザイン要素の組み合わせを用いて非類似サンプルとしてデザインサンプルが作成される。なお、デザインサンプルが予め作成されて情報記憶部１６に予め記憶されている場合、情報記憶部１６において、適合デザイン要素の組み合わせを有するデザインサンプルが検索され、そのデザインサンプルを非類似サンプルとして情報記憶部１６から取得されてもよい。作成又は検索されたデザインサンプルのデータは、デザイン作成装置１０から端末装置１２に送信され、端末装置１２のＵＩ部４６に非類似サンプルが表示される。例えば図９に示すように、非類似サンプルの一覧６８が端末装置１２に表示される。そのユーザによってその一覧６８から非類似サンプルが選択され、非類似サンプルに対する編集、非類似サンプルの印刷、等の処理が実行される。
【０１４８】
以上のように、本実施形態によると、基調テイスト喚起度Ｓが喚起度閾値θ以上となる最適デザイン要素の組み合わせを用いてデザインサンプルが作成される。これにより、基調テイスト（例えば「プリティ」）を主に喚起しつつ、アクセントテイスト（例えば「ダイナミック」）を副次的に喚起するデザインサンプル（非類似サンプル）が作成される。
【０１４９】
また、混合比においてアクセントテイストの比率を段階的に増加させながら、つまり、混合比において基調テイストの比率を段階的に減少させながら、基調テイスト喚起度Ｓが演算され、基調テイスト喚起度Ｓが喚起度閾値θ未満となる混合比よりもアクセントテイストの比率が１段階低い混合比が特定される。その特定された混合比を用いた演算によって特定された最大値デザイン要素の組み合わせが、適合デザイン要素の組み合わせとして決定され、その適合デザイン要素の組み合わせを用いてデザインサンプルが作成される。これにより、基調テイスト喚起度Ｓが喚起度閾値θ以上となる最大値デザイン要素のすべての組み合わせを、適合デザイン要素の組み合わせとして決定してデザインサンプルを作成する場合と比べて、基調テイスト（例えば「プリティ」）を主に喚起しつつ、アクセントテイスト（例えば「ダイナミック」）をより喚起するデザインサンプルが作成される。
【０１５０】
また、基調テイストが有する印象との差がより大きい印象を有するテイストをアクセントテイストとして用いることにより、基調テイストが有する印象との差がより小さい印象を有するテイストをアクセントテイストとして用いる場合と比べて、基調テイストを主に喚起しつつ、基調テイストとはより異なる印象を喚起するデザインテイストが作成される。例えば、基調テイストが有する印象との差が最大となる印象を有するテイストをデザインテイストとして用いることにより、基調テイストを主に喚起しつつ、基調テイストとはより異なる印象を喚起するデザインサンプルが作成される。また、上述したアクセントテイストの選択方式２によると、互いに異なる印象を有する複数のアクセントテイストが選択される。このような複数のアクセントテイストを用いて複数のデザインサンプル（非類似サンプル）を作成することにより、基調テイストを主に喚起しつつ、互いに見た目の異なる複数の非類似サンプルが作成されて提供される。
【０１５１】
なお、単一の基調テイストを有するデザインサンプルを作成し、そのデザインサンプルと、基調テイストとアクセントテイストとを用いて作成されたデザインサンプル（非類似サンプル）と、を端末装置１２に提供して表示してもよい。
【０１５２】
また、基調テイスト名、アクセントテイスト名、及び、混合比の表示指示が与えられている場合、それらを示す情報も、デザインサンプルのデータとともに、デザイン作成装置１０から端末装置１２に送信され、端末装置１２のＵＩ部４６に表示される。例えば図２２に示すように、デザインサンプル８０とともに、基調テイストの名称「プリティ」、基調テイストの比率「７５％」、アクセントテイストの名称「ダイナミック」、及び、アクセントテイストの比率「２５％」が表示される。これにより、ユーザがデザインサンプル（非類似サンプル）を選択する上で参考となる情報が提供される。
【０１５３】
また、図２３に示すように、デザインサンプル８０とともに、当該デザインサンプル８０の印象の分析結果を示す印象プロフィール８２が、端末装置１２のＵＩ部４６に表示されてもよい。印象プロフィール８２は、デザインサンプル８０についての印象強度を示す情報であり、デザイン作成装置１０にて作成されて端末装置１２に送信される。
【０１５４】
（変形例１）
以下、変形例１に係るデザイン作成装置１０Ａについて説明する。図２４には、変形例１に係るデザイン作成装置１０Ａの一例が示されている。変形例１に係るデザイン作成装置１０Ａは、上述した実施形態に係るデザイン作成装置１０の構成に加えて、類似デザイン作成部８４を更に含む。類似デザイン作成部８４以外の構成は、上述した実施形態に係るデザイン作成装置１０の構成と同じである。
【０１５５】
類似デザイン作成部８４は、選択されたデザインサンプルに類似するデザインサンプル（類似サンプル）を作成する。
【０１５６】
以下、変形例１について詳しく説明する。
【０１５７】
図２５には、デザインサンプル表示画面６０が示されている。非類似サンプル表示ボタン６４がユーザによって押下されると、上述したように、デザイン作成装置１０Ａによって、非類似サンプルとしてのデザインサンプルが作成又は検索され、非類似サンプルとしてのデザインサンプルの一覧６８が、デザインサンプル表示画面６０に表示される。図２５に示す例では、９個のデザインサンプル（デザインサンプルＡ〜Ｉ）が非類似サンプルとして表示されている。
【０１５８】
ユーザが端末装置１２を用いて特定のデザインサンプル（非類似サンプル）を指定し、類似サンプル表示ボタン６６を押下すると、類似サンプルの表示指示を示す情報と、指定された非類似サンプルを識別するための識別情報（サンプルＩＤ）が、通信経路Ｎを介して端末装置１２からデザイン作成装置１０Ａに送信される。
【０１５９】
デザイン作成装置１０Ａにおいては、類似デザイン作成部８４が、指定された非類似サンプルに類似するデザインサンプル（類似サンプル）を作成する。例えば、１又は複数の類似サンプルが作成される。類似サンプルのデータは、通信経路Ｎを介してデザイン作成装置１０Ａから端末装置１２に送信され、端末装置１２のＵＩ部４６には類似サンプルが表示される。
【０１６０】
例えば図２６に示すように、デザインサンプル表示画面６０には類似サンプルの一覧８６が表示される。例えば、デザインサンプルＣが選択された場合、デザインサンプルＣに類似するデザインサンプル（Ｃ１〜Ｃ９）が類似サンプルとして作成されて表示される。
【０１６１】
以下、図２７を参照して、類似デザイン作成部８４による処理について詳しく説明する。図２７には、その処理を示すフローチャートが示されている。
【０１６２】
端末装置１２のＵＩ部４６には、図２５に示されているデザインサンプル表示画面６０が表示されているものとする。ユーザはＵＩ部４６を用いて、デザインサンプル表示画面６０に表示されているデザインサンプル（非類似サンプル）の一覧６８の中から特定のデザインサンプルを選択し、類似サンプル表示ボタン６６を押下する（Ｓ５０）。
【０１６３】
類似サンプル表示ボタン６６が押下されると、類似サンプルの表示指示を示す情報と、ユーザによって選択されたデザインサンプルを識別するための識別情報（サンプルＩＤ）が、通信経路Ｎを介して端末装置１２からデザイン作成装置１０Ａに送信される。
【０１６４】
デザイン作成装置１０Ａにおいては、類似デザイン作成部８４が、ユーザによって選択されたデザインサンプルを構成する全デザイン要素の感性スコアの合算し、その合計値に対する各デザイン要素の感性スコアの比率を算出する（Ｓ５１）。
【０１６５】
次に、類似デザイン作成部８４は、比率の高い順に各デザイン要素の感性スコアを合算し、その合計値が閾値以上になった段階で合算対象となっているデザイン要素を固定デザイン要素として決定する（Ｓ５２）。閾値は予め設定された値であってもよいし、ユーザによって変更されてもよい。
【０１６６】
次に、類似デザイン作成部８４は、固定デザイン要素群を変えずに、固定デザイン要素以外のデザイン要素（非固定デザイン要素）が属するデザインアイテムを対象として、非固定デザイン要素を変えることで、類似サンプルとしてのデザインバリエーションを作成する（Ｓ５３）。これにより、固定デザイン要素を有しつつ、非固定デザイン要素のみが変更されたデザインバリエーションが作成される。このとき、類似デザイン作成部８４は、指定数のバリエーション（類似サンプル）を作成する。その指定数は予め設定された値であってもよいし、ユーザによって指定された値であってもよい。
【０１６７】
類似サンプル（デザインバリエーション）のデータは、デザイン作成装置１０Ａから端末装置１２に送信され、図２６に示すように、類似サンプルの一覧８６が端末装置１２のＵＩ部４６に表示される（Ｓ５４）。
【０１６８】
以下、具体例を挙げて類似デザイン作成部８４による処理について説明する。一例として、デザインサンプル（非類似サンプル）の一覧６８の中から特定のデザインサンプルＸがユーザによって選択されたものとする。図２８には、そのデザインサンプルＸを構成するデザインアイテム及びデザイン要素が示されている。デザインサンプルＸは、デザインアイテム「１．背景図案」、「２．ベースカラーの色相」、「３．ベースカラーの色調」、「４．氏名のフォントサイズ」、「５．氏名のフォントタイプ」、「６．文字情報のレイアウト」、及び「７．その他のデザインアイテム群」によって構成されている。
【０１６９】
デザインアイテム「１．背景図案」としてデザイン要素「図案３」が採用されており、デザインサンプルＸを構成する全デザイン要素の感性スコアの合算値に対するデザイン要素「図案３」の感性スコアの比率は「３１％」である。
【０１７０】
デザインアイテム「２．ベースカラーの色相」としてデザイン要素「Ｒ」が採用されており、感性スコアの合計値に対するデザイン要素「Ｒ」の感性スコアの比率は「１７％」である。
【０１７１】
デザインアイテム「３．ベースカラーの色調」としてデザイン要素「Ｖ＆Ｓ」が採用されており、感性スコアの合計値に対するデザイン要素「Ｖ＆Ｓ」の感性スコアの比率は「１４％」である。
【０１７２】
デザインアイテム「４．氏名のフォントサイズ」としてデザイン要素「特大」が採用されており、感性スコアの合計値に対するデザイン要素「特大」の感性スコアの比率は「１０％」である。
【０１７３】
デザインアイテム「５．氏名のフォントタイプ」としてデザイン要素「ポップ」が採用されており、感性スコアの合計値に対するデザイン要素「ポップ」の感性スコアの比率は「６％」である。
【０１７４】
デザインアイテム「６．文字情報のレイアウト」としてデザイン要素「パターン８」が採用されており、感性スコアの合計値に対するデザイン要素「パターン８」の感性スコアの比率は「３％」である。
【０１７５】
感性スコアの合計値に対する「７．その他のデザイン要素群」の感性スコアの比率の合計は、「３１％」である。
【０１７６】
一例として、閾値を７０％とする。類似デザイン作成部８４は、比率の高い順に各デザイン要素の感性スコアを合算していき、その合計値が閾値「７０％」以上になった段階で合算対象となっているデザイン要素を固定デザイン要素として決定する。図２８に示す例では、類似デザイン作成部８４は、背景図案「図案３」、ベースカラーの色相「Ｒ」、ベースカラーの色調「Ｖ＆Ｓ」、氏名のフォントサイズ「特大」の順に、各デザイン要素の感性スコアを合算する。氏名のフォントサイズ「特大」の比率を合算した段階で、その合計値が閾値「７０％」以上となっている。それ故、デザイン要素「図案３」、「Ｒ」、「Ｖ＆Ｓ」及び「特大」が、固定デザイン要素として決定される。デザイン要素「ポップ」、「パターン８」及び「その他のデザイン要素群」は、非固定デザイン要素として決定される。
【０１７７】
図２９には、その合算処理が模式的に示されている。デザインアイテム「１．背景図案」から「４．氏名のフォントサイズ」の感性スコアの比率の合計値が、閾値「７０％」以上となっている。
【０１７８】
以上のようにして固定デザイン要素が決定されると、類似デザイン作成部８４は、固定デザイン要素群を変えずに、非固定デザイン要素が属するデザインアイテムを対象として、非固定デザイン要素を変えることで、類似サンプルとしてのデザインバリエーションを作成する。図２８に示す例では、類似デザイン作成部８４は、固定デザイン要素としての背景図案「図案３」、ベースカラーの色相「Ｒ」、ベースカラーの色調「Ｖ＆Ｓ」及び氏名のフォントサイズ「特大」を変えずに、非固定デザイン要素を変える。具体的には、類似デザイン作成部８４は、順位が５位のデザインアイテム「氏名のフォントサイズ」を対象として、固定デザイン要素群と順位が６位以下の非固定デザイン要素を変えずに、そのデザインアイテム「氏名のフォントサイズ」に属する非固定デザイン要素を変えることで、デザインバリエーションを作成する。つまり、類似デザイン作成部８４は、５位のデザインアイテム「氏名のフォントサイズ」に属する非固定デザイン要素を異ならせながら、固定デザイン要素群と、６位以下の非固定デザイン要素と、５位の非固定デザイン要素と、を用いてデザインサンプル（デザインバリエーション）を作成する。類似デザイン作成部８４は、例えば、５位のデザインアイテムに属する全デザイン要素（例えば、ゴシック、明朝、丸ゴシック等）と、固定デザイン要素群と、６位以下の非固定デザイン要素と、を組み合わせることにより、固定デザイン要素群と６位以下の非固定デザイン要素とが変更されずに、５位のデザイン要素のみが変更された複数のデザインバリエーション（類似サンプル）を作成する。５位の非固定デザイン要素のみが変更された複数のデザインバリエーション（類似サンプル）のデータは、デザイン作成装置１０Ａから端末装置１２に送信され、図２６に示すように、複数のデザインバリエーション（類似サンプル）の一覧８６が、端末装置１２のＵＩ部４６に表示される。
【０１７９】
同様に、類似デザイン作成部８４は、順位が６位のデザインアイテム「文字情報のレイアウト」を対象として、固定デザイン要素群と６位以外の順位の非固定デザイン要素を変えずに、そのデザインアイテム「文字情報のレイアウト」に属する非固定デザイン要素を変えることで、デザインバリエーションを作成する。つまり、類似デザイン作成部８４は、６位のデザインアイテム「文字情報のレイアウト」に属する非固定デザイン要素を異ならせながら、固定デザイン要素群と、６位以外の順位の非固定デザイン要素と、６位の非固定デザイン要素と、を用いてデザインサンプル（デザインバリエーション）を作成する。類似デザイン作成部８４は、例えば、６位のデザインアイテムに属する全デザイン要素（例えばパターン１から１１）と、固定デザイン要素群と、６位以外の順位の非固定デザイン要素と、を組み合わせることにより、固定デザイン要素群と６位以外の順位の非固定デザイン要素が変更されずに、６位のデザイン要素のみが変更された複数のデザインバリエーション（類似サンプル）を作成する。６位の非固定デザイン要素のみが変更された複数のデザインバリエーション（類似サンプル）のデータは、デザイン作成装置１０Ａから端末装置１２に送信され、図２６に示すように、その一覧８６が端末装置１２のＵＩ部４６に表示される。
【０１８０】
以上のように変形例１では、感性スコアの比率が相対的に高いデザイン要素が固定デザイン要素として用いられ、感性スコアの比率が相対的に低いデザイン要素が非固定デザイン要素として用いられ、固定デザイン要素を変更せずに非固定デザイン要素のみを変更することにより、デザインバリエーション（非類似サンプル）が作成される。固定デザイン要素は、非固定デザイン要素と比べて、印象に対してより大きな影響力を有する。それ故、固定デザイン要素を変えずに非固定デザイン要素のみを変えることにより、固定デザイン要素によって形成される印象を喚起しつつ、非固定デザイン要素によって形成される印象のみが変更されたデザインバリエーションが作成される。つまり、印象に対して大きな影響力を有する固定デザイン要素を変えずに、印象に対して小さな影響力を有する非固定デザイン要素のみを変えることにより、固定デザイン要素によって形成される共通の印象を喚起しつつ、非固定デザイン要素によって形成される印象のみが異なる、複数のデザインバリエーションが作成される。印象に対する非固定デザイン要素の影響力は小さいため、当該複数のデザインバリエーションの印象の差は極僅かである。また、当該複数のデザインバリエーションの印象と、ユーザによって選択されたデザインサンプル（非類似サンプル）の印象と、の差も極僅かである。それ故、類似デザイン作成部８４によって作成された複数のデザインバリエーションは、ユーザによって選択されたデザインサンプル（非類似サンプル）に類似するデザインを有するサンプルに相当する。
【０１８１】
変形例１によると、２段階の処理によって、デザインサンプルが端末装置１２に表示される。つまり、１段階目の処理によって、同一の基調テイストを主に喚起しつつ、互いに見た目の異なる複数の非類似サンプルが作成され、それら複数の非類似サンプルが端末装置１２に表示される。例えば、ユーザは複数の非類似サンプルを参照することにより、ユーザが好むデザインの傾向や方向性を確認し、複数の非類似サンプルの中から、その傾向や方向性を持った非類似サンプルを選択する。次に、２段階目の処理として、ユーザによって選択されたデザインサンプル（非類似サンプル）に類似する類似サンプル群が作成され、端末装置１２に表示される。これにより、非類似サンプルに比較的に似ているサンプル群が端末装置１２に表示される。その類似サンプル群の中から、目的のデザインサンプルがユーザによって選択される。このように、２段階の絞り込み処理によって、目的のデザインサンプルがユーザによって選択されるようになっている。つまり、第１段階で、基調テイストを主に喚起しつつ互いに見た目ができるだけ異なる非類似サンプル群が表示され、第２段階で、非類似サンプル群の中から選択された非類似サンプルに似ている類似サンプル群が表示される。これにより、例えばユーザによって指定されたテイストに類似するテイストを有する複数のデザインサンプルのみを提供する場合と比べて、ユーザの目的に適合し易いデザインサンプルが作成又は検索され、目的のデザインサンプルが見つかり易くなる。例えば、ユーザの好みに適合するテイスト（例えば「プリティ」）を基調テイストとして指定することにより、１段階目の処理として、ユーザの好みに適合した印象（「プリティ」）を主に喚起しつつ互いに見た目ができるだけ異なる非類似サンプル群が提供され、更に、非類似サンプル群からユーザの好みに適合する非類似サンプルを指定することにより、２段階目の処理として、その非類似サンプルに類似する複数の類似サンプルがバリエーションとして提供される。これにより、複数の類似サンプルの中から、ユーザの好みにより適したサンプルを選択し易くなる。
【０１８２】
なお、非類似サンプル以外のデザインサンプルが指定されて、そのデザインサンプルに類似するデザインサンプル（類似サンプル）が作成されてもよい。
【０１８３】
［第２実施形態］
以下、本発明の第２実施形態に係るデザイン作成装置について説明する。図３０には、第２実施形態に係るデザイン作成装置の一例が示されている。
【０１８４】
第２実施形態に係るデザイン作成装置１０Ｂは、第１実施形態に係る適合デザイン要素決定部２８の代りにデザイン要素セット選択部８８を含む。デザイン要素セット選択部８８以外の構成は、第１実施形態に係るデザイン作成装置１０の構成と同じである。
【０１８５】
デザイン要素セット選択部８８は、予め作成されたスコアテーブルを参照し、予め設定された基調テイスト閾値と、アクセントテイスト選択部２６によって選択されたアクセントテイストと、に基づいて、各デザインアイテムのデザイン要素を含むデザイン属性セットを選択する。デザイン作成部３８は、デザイン要素セット選択部８８によって選択されたデザイン要素セットを用いてデザインサンプルを作成する。
【０１８６】
デザインアイテム毎に、当該デザインアイテムに属する複数のデザイン要素の中から１つのデザイン要素が選択されており、そのようにして選択された各デザインアイテムのデザイン要素の集合が、デザイン要素セットに相当する。デザインアイテム毎に選択対象のデザイン要素を異ならせながら１つのデザイン要素を選択し、その選択された各デザインアイテムのデザイン要素の集合が、デザイン要素セットとして予め決定されている。
【０１８７】
デザイン要素セット毎に、当該デザイン要素セットに含まれる複数のデザイン要素によって作成されるデザインサンプルのテイスト推定値（スコア）が予め算出されており、スコアテーブルは、デザイン要素セット毎のテイスト推定値（スコア）を示すテーブルである。テイスト推定値は、例えば、当該複数のデザイン要素の感性スコアの合計値である。スコアテーブルは、テイスト毎に予め作成されており、そのデータは情報記憶部１６に予め記憶されている。
【０１８８】
以下、第２実施形態に係るデザイン作成装置１０Ｂについて詳しく説明する。
【０１８９】
まず、図３１を参照して、スコアテーブルについて詳しく説明する。図３１には、スコアテーブルの一例が示されている。
【０１９０】
図３１に示されているスコアテーブルは、テイスト「プリティ」に関するスコアテーブルである。スコアテーブルにおいては、順位、属性セットＩＤ（要素セットＩＤ）、スコア（テイスト推定値）、及び、デザイン要素セットが互いに対応付けられている。順位は、スコアの順位である。属性セットＩＤ（要素セットＩＤ）は、デザイン要素セットを識別するための識別情報である。スコアはテイスト推定値であり、例えば、デザイン要素セットに含まれる複数のデザイン要素の合計値である。
【０１９１】
デザイン要素セットは、複数のデザインアイテムのそれぞれから選択された複数のデザイン要素の集合である。一例として、デザインアイテム「背景図案」に属する複数のデザイン要素から１つのデザイン要素が選択され、デザインアイテム「氏名と会社名の揃え方」に属する複数のデザイン要素から１つのデザイン要素が選択されている。他のデザインアイテムについても同様である。具体例を挙げて説明すると、順位が１番目のデザイン要素セットは、デザイン要素「図案Ａ」、「中央揃え」、「フォントＡ」、「横」、「１７−２４」、「中央」及び「やや上」を含む。スコアは、例えば、テイスト「プリティ」に対する各デザイン要素の感性スコアの合計値である。各デザインアイテムについてのデザイン要素を異ならせながら、複数のデザイン要素セットが作成されている。
【０１９２】
図３１に示されているスコアテーブルはテイスト「プリティ」に関するテーブルであるが、他のテイストについても同様にスコアテーブルが予め作成されている。
【０１９３】
次に、図３２を参照して、デザイン要素セット選択部８８による処理について詳しく説明する。図３２には、その処理を示すフローチャートが示されている。
【０１９４】
まず、第１実施形態と同様に、端末装置１２において、ユーザによって基調テイストが選択される。また、基調テイスト閾値θが設定される。基調テイスト閾値θは、ユーザによって設定されてもよいし、予め設定された値であってもよい。例えば、ユーザが端末装置１２のＵＩ部４６を用いることにより、基調テイスト閾値θを任意の値に設定する。なお、サンプルの表示数等が指定されてもよい。
【０１９５】
次に、第１実施形態と同様に、Ｎ個（Ｎは１以上の整数）のアクセントテイストが選択される（Ｓ６０）。
【０１９６】
デザイン作成装置１０Ｂにおいては、デザイン要素セット選択部８８が、基調テイストのスコアテーブルを情報記憶部１６から読み出す（Ｓ６１）。
【０１９７】
また、デザイン要素セット選択部８８は、Ｎ個のアクセントテイストの中から未処理のアクセントテイストを選択し、そのアクセントテイストのスコアテーブルを情報記憶部１６から読み出す（Ｓ６２）。
【０１９８】
次に、デザイン要素セット選択部８８は、アクセントテイストのスコアテーブルにおいて、スコアの高い順にデザイン要素セットを指定し、基調テイストのスコアテーブルにおいて、同じデザイン要素セットを検索し、その検索したデザイン要素セットのスコアＳ（基調テイストに対するスコアＳ）を取得する（Ｓ６３）。
【０１９９】
スコアＳが基調テイスト閾値θ以上の場合（Ｓ６４，Ｙｅｓ）、デザイン要素セット選択部８８は、その検索したデザイン要素セットを、適合デザイン要素セットとして選択し、その適合デザイン要素セットと、基調テイストに対する当該適合デザイン要素セットのスコアＳと、アクセントテイストに対する当該適合デザイン要素セットのスコアと、を記憶する（Ｓ６５）。
【０２００】
一方、スコアＳが基調テイスト閾値θ未満の場合（Ｓ６４，Ｎｏ）において、全デザイン要素セットについてステップＳ６３，Ｓ６４の処理が完了した場合（Ｓ６６，Ｙｅｓ）、デザイン要素セット選択部８８は、条件に適合するデザイン要素セットが存在しない旨を記憶する（Ｓ６７）。全デザイン要素セットについてステップＳ６３，Ｓ６４の処理が完了していない場合（Ｓ６６，Ｎｏ）、デザイン要素セット選択部８８は、スコアの順位を１つ下げて、デザイン要素セットを指定し（Ｓ６８）、その上で、ステップＳ６３，Ｓ６４の処理を実行する。
【０２０１】
Ｎ個のアクセントテイストに対する上記の処理が完了していない場合（Ｓ６９，Ｎｏ）、処理はステップＳ６２に戻り、未処理のアクセントテイストを対象として、ステップＳ６２以降の処理が実行される。
【０２０２】
Ｎ個のアクセントテイストに対する上記の処理が完了した場合（Ｓ６９，Ｙｅｓ）、デザイン作成部３８は、デザイン要素セット選択部８８によって選択された適合デザイン要素セットを用いてデザインサンプル（非類似サンプル）を作成する（Ｓ７０）。これにより、Ｎ個の非類似サンプルが作成される。
【０２０３】
以下、具体例を挙げて、デザイン要素セット選択部８８による処理について説明する。図３３には、基調テイストについてのスコアテーブル９０とアクセントテイストについてのスコアテーブル９２が示されている。
【０２０４】
デザイン要素セット選択部８８は、アクセントテイストのスコアテーブル９２において、スコアの高い順にデザイン要素セットを指定し、基調テイストのスコアテーブル９０において、同じデザイン要素セットであって、基調テイストに対するスコアＳが初めて基調テイスト閾値θ以上となるデザイン要素セットを、適合デザイン要素セットとして選択する。図３３に示す例では、符号９４で示すデザイン要素セットが、適合デザイン要素セットとして選択されている。
【０２０５】
基調テイスト閾値θ以上のスコアを有するデザイン要素セットが適合デザイン要素セットとして用いられているため、その適合デザイン要素セットを用いることにより、基調テイストを主に喚起するデザインサンプルが作成される。また、アクセントテイストのスコアテーブル９２において、スコアの高い順にデザイン要素セットが指定されて適合デザイン要素セットが検索されるため、アクセントテイストの影響度（レベル）が最大となるようなデザインサンプルが作成される。このようにして、基調テイストを主に喚起しつつ、アクセントテイストを副次的にかつより強く喚起するデザインサンプル（非類似サンプル）が作成される。
【０２０６】
上述した第１実施形態と同様に、非類似サンプルのデータは、通信経路Ｎを介してデザイン作成装置１０Ｂから端末装置１２に送信され、端末装置１２のＵＩ部４６に非類似サンプルが表示される。また、基調テイストに対する適合デザイン要素のスコアを示す情報、及び、アクセントテイストに対する適合デザイン要素のスコアを示す情報が、非類似サンプルのデータとともに、端末装置１２に送信されてもよい。
【０２０７】
図３４には、端末装置１２に表示されるデザインサンプル表示画面９６の一例が示されている。デザインサンプル表示画面９６には、デザインサンプル（非類似サンプル）の一覧９８が表示されている。一例として、個々のデザインサンプルについて、基調テイストに対する適合デザイン要素のスコア（例えばプリティ３．７）と、アクセントテイストに対する適合デザイン要素のスコア（例えばカジュアル３．７）と、がデザインサンプルとともに表示されている。もちろん、スコアは表示されなくてもよい。
【０２０８】
また、デザインサンプル表示画面９６には、基調テイスト閾値θ（テイストレベル）を調整するためのスライダ１００のアイコンが表示されている。ユーザがスライダ１００を操作することにより、例えば１〜５の範囲で基調テイスト閾値θが変更される。基調テイスト閾値θを「１」に設定すると、基調テイストの印象が最も弱いデザインサンプルが非類似サンプルとして作成され、基調テイスト閾値θを「５」に設定すると、基調テイストの印象が最も強いデザインサンプルが非類似サンプルとして作成される。このように、スライダ１００を用いることにより、基調テイスト閾値θが動的に変更され、その変更に伴って、デザインサンプル表示画面９６に表示される非類似サンプルが変更される。
【０２０９】
なお、第２実施形態においても、第１実施形態と同様に、デザイン要素セットによってデザインサンプルが予め作成されて、そのデザインサンプルのデータが情報記憶部１６に予め記憶されていてもよい。この場合、デザイン作成部３８は、適合デザイン要素セットによって構成されたデザインサンプルを非類似サンプルとして情報記憶部１６から取得する。
【０２１０】
（変形例２）
以下、図３５を参照して、変形例２に係るデザイン作成装置について説明する。図３５には、変形例２に係るデザイン作成装置１０Ｃの一例が示されている。
【０２１１】
変形例２に係るデザイン作成装置１０Ｃは、第２実施形態に係るデザイン要素セット選択部８８の代りにデザイン要素セット選択部８８Ａを含む。デザイン要素セット選択部８８Ａ以外の構成は、第２実施形態に係るデザイン作成装置１０Ｂの構成と同じである。
【０２１２】
デザイン要素セット選択部８８Ａは、第２実施形態に係るデザイン要素セット選択部８８と同じ機能を有し、更に、不一致度算出部１０２を含む。
【０２１３】
不一致度算出部１０２は、基調テイスト閾値θ以上のスコアを有する全デザイン要素セットを対象として、各デザイン要素セット間の非類似性（不一致度）を算出し、互いにデザイン要素が異なるＮ個（Ｎは１以上の整数）のデザイン要素セットを選択する。例えば、不一致度算出部１０２は、各デザイン要素セット間において、異なるデザイン要素の数（非重複数）を算出し、その数が閾値以上となるデザイン要素セットを選択する。閾値は予め設定された値であってもよいし、ユーザによって変更されてもよい。
【０２１４】
デザイン作成部３８は、不一致度算出部１０２によって選択されたデザイン要素セットを用いてデザインサンプル（非類似サンプル）を作成する。
【０２１５】
変形例２によると、互いに異なるデザイン要素を含むデザイン要素セットを用いてデザインサンプル（非類似サンプル）が作成される。これにより、似たような非類似サンプルが作成され難くなる。
【０２１６】
なお、非重複数が同じ複数のデザイン属性セットが選択される場合、デザイン属性毎に異なる重み（ウェイト）を与えることにより、非類似性に差を設けるようにしてもよい。
【０２１７】
上記のデザイン作成装置１０，１０Ａ，１０Ｂ，１０Ｃは、一例としてハードウェア資源とソフトウェアとの協働により実現される。具体的には、デザイン作成装置１０，１０Ａ，１０Ｂ，１０Ｃは、図示しないＣＰＵ等のプロセッサを備えている。当該プロセッサが、図示しない記憶装置に記憶されたプログラムを読み出して実行することにより、デザイン作成装置１０，１０Ａ，１０Ｂ，１０Ｃの各部の機能が実現される。上記プログラムは、ＣＤやＤＶＤ等の記録媒体を経由して、又は、ネットワーク等の通信経路を経由して、記憶装置に記憶される。または、デザイン作成装置１０，１０Ａ，１０Ｂ，１０Ｃの各部は、例えばプロセッサや電子回路等のハードウェア資源により実現されてもよい。その実現においてメモリ等のデバイスが利用されてもよい。別の例として、デザイン作成装置１０，１０Ａ，１０Ｂ，１０Ｃの各部は、ＤＳＰ（Digital Signal Processor）やＦＰＧＡ（Field Programmable Gate Array）等によって実現されてもよい。
【符号の説明】
【０２１８】
１０，１０Ａ，１０Ｂ，１０Ｃ  デザイン作成装置、１２  端末装置、１４  通信部、１６  情報記憶部、１８  コンテンツ、２０  感性ＤＢ、２２  素材ＤＢ、２４  ＵＩ部、２６  アクセントテイスト選択部、２８  適合デザイン要素決定部、３０  混合比設定部、３２  混合感性スコア演算部、３４  基調テイスト喚起度演算部、３６  決定部、３８  デザイン作成部、４０  制御部。
【図１】
0006746976.tif 000002
【図２】
0006746976.tif 000003
【図３】
0006746976.tif 000004
【図４】
0006746976.tif 000005
【図５】
0006746976.tif 000006
【図６】
0006746976.tif 000007
【図７】
0006746976.tif 000008
【図８】
0006746976.tif 000009
【図９】
0006746976.tif 000010
【図１０】
0006746976.tif 000011
【図１１】
0006746976.tif 000012
【図１２】
0006746976.tif 000013
【図１３】
0006746976.tif 000014
【図１４】
0006746976.tif 000015
【図１５】
0006746976.tif 000016
【図１６】
0006746976.tif 000017
【図１７】
0006746976.tif 000018
【図１８】
0006746976.tif 000019
【図１９】
0006746976.tif 000020
【図２０】
0006746976.tif 000021
【図２１】
0006746976.tif 000022
【図２２】
0006746976.tif 000023
【図２３】
0006746976.tif 000024
【図２４】
0006746976.tif 000025
【図２５】
0006746976.tif 000026
【図２６】
0006746976.tif 000027
【図２７】
0006746976.tif 000028
【図２８】
0006746976.tif 000029
【図２９】
0006746976.tif 000030
【図３０】
0006746976.tif 000031
【図３１】
0006746976.tif 000032
【図３２】
0006746976.tif 000033
【図３３】
0006746976.tif 000034
【図３４】
0006746976.tif 000035
【図３５】
0006746976.tif 000036